(57)【要約】サービス品質（ＱｏＳ）フロー再マッピングを対象とする態様が開示される。ある例では、第１のデータ無線ベアラ（ＤＲＢ）から別のＤＲＢへの第１のＱｏＳフローのマッピング再構成を検出すると、第１のＱｏＳフローに関連する最終サービスデータ適応プロトコル（ＳＤＡＰ）データプロトコルデータユニット（ＰＤＵ）が第１のＤＲＢ上で送信されたことを示すＳＤＡＰ制御ＰＤＵが生成される。次いで、ＳＤＡＰ制御ＰＤＵが第１のＤＲＢを介して送信される。別の例では、第１のＤＲＢから別のＤＲＢへの第１のＱｏＳフローのマッピング再構成を検出すると、第１のＳＤＡＰデータＰＤＵが第１のＤＲＢ上で送信された第１のＱｏＳフローに関連する最終ＳＤＡＰデータＰＤＵであることを示すマッピング再構成の後に上位レイヤから受信された第１のＳＤＡＰデータＰＤＵのＳＤＡＰヘッダにエンドマーカパラメータが設定される。【選択図】  図５
2021521689.tif 000002
【特許請求の範囲】
【請求項１】
ワイヤレス通信の方法であって、
第１のデータ無線ベアラ（ＤＲＢ）から第２のＤＲＢへの第１のサービス品質（ＱｏＳ）フローのマッピング再構成を検出することと、
前記マッピング再構成に応答してサービスデータ適応プロトコル（ＳＤＡＰ）制御プロトコルデータユニット（ＰＤＵ）を生成することと、ここにおいて、前記ＳＤＡＰ制御ＰＤＵは、前記第１のＱｏＳフローに関連する最終ＳＤＡＰデータＰＤＵが前記第１のＤＲＢ上で送信されたというインジケーションを提供する、
前記第１のＤＲＢを介して受信機に前記ＳＤＡＰ制御ＰＤＵを送信することと
を備える方法。
【請求項２】
前記マッピング再構成を検出することは、
無線リソース制御（ＲＲＣ）メッセージを介して前記マッピング再構成を検出すること
を備える、請求項１に記載の方法。
【請求項３】
前記マッピング再構成を検出することは、
リフレクティブマッピングを介して前記マッピング再構成を検出することを備え、ここにおいて、前記マッピング再構成は、前記第１のＱｏＳフローに関連するパケットが、最初に前記第１のＤＲＢを介して受信された後に前記第２のＤＲＢを介して受信されるかどうかに基づいて検出される、
請求項１に記載の方法。
【請求項４】
前記ＳＤＡＰ制御ＰＤＵを生成することは、
前記ＳＤＡＰ制御ＰＤＵ内に制御識別子を含めることを備え、ここで、前記制御識別子は、前記ＳＤＡＰ制御ＰＤＵとＳＤＡＰデータＰＤＵとの区別を容易にする、
請求項１に記載の方法。
【請求項５】
前記制御識別子を含めることは、
前記ＳＤＡＰ制御ＰＤＵおよび前記ＳＤＡＰデータＰＤＵの各々にデータ／制御（Ｄ／Ｃ）ビットを含めることを備え、ここにおいて、前記Ｄ／Ｃビットは、前記ＳＤＡＰ制御ＰＤＵと前記ＳＤＡＰデータＰＤＵとの前記区別を容易にする、
請求項４に記載の方法。
【請求項６】
前記ＳＤＡＰ制御ＰＤＵを生成することは、
前記ＳＤＡＰ制御ＰＤＵ内にＱｏＳフロー識別子（ＱＦＩ）パラメータを含めることを備え、ここにおいて、前記ＱＦＩパラメータは、前記ＳＤＡＰ制御ＰＤＵに含まれる制御情報に適用可能な特定のＱｏＳフローを識別する、
請求項１に記載の方法。
【請求項７】
前記ＳＤＡＰ制御ＰＤＵを生成することは、
前記ＳＤＡＰ制御ＰＤＵ内の前記ＱＦＩパラメータを前記第１のＱｏＳフローに対応する値に設定すること
をさらに備える、請求項６に記載の方法。
【請求項８】
前記ＳＤＡＰ制御ＰＤＵを送信することは、
受信機側ＳＤＡＰレイヤが前記第１のＤＲＢを介して前記第１のＱｏＳフローに関連する前記最終ＳＤＡＰデータＰＤＵを受信した後に前記ＳＤＡＰ制御ＰＤＵを受信することを可能にするために、送信機側ＳＤＡＰレイヤが前記第１のＤＲＢを介して前記第１のＱｏＳフローに関連する前記最終ＳＤＡＰデータＰＤＵを送信した後に前記ＳＤＡＰ制御ＰＤＵを送信するという順序を順守すること
を備える、請求項１に記載の方法。
【請求項９】
前記順序を順守することは、前記第１のＤＲＢに関連するパケットデータコンバージェンスプロトコル（ＰＤＣＰ）エンティティによって実行される、請求項８に記載の方法。
【請求項１０】
前記ＳＤＡＰ制御ＰＤＵを生成することは、
バッファが前記第１のＱｏＳフローに関連する未送信のＳＤＡＰデータＰＤＵを備えるかどうかを識別することと、
前記バッファが前記第１のＱｏＳフローに関連する前記未送信のＳＤＡＰデータＰＤＵを備えているとき、前記未送信のＳＤＡＰデータＰＤＵのＳＤＡＰヘッダにエンドマーカパラメータを含めることと、ここにおいて、前記エンドマーカパラメータは、前記未送信のＳＤＡＰデータＰＤＵが前記第１のＤＲＢ上の前記第１のＱｏＳフローに関連する前記最終ＳＤＡＰデータＰＤＵであることを示す、
前記受信機に前記未送信のＳＤＡＰデータＰＤＵを送信することと
をさらに備える、請求項１に記載の方法。
【請求項１１】
前記ＳＤＡＰ制御ＰＤＵを生成することは、
前記バッファが前記第１のＱｏＳフローに関連する前記未送信のＳＤＡＰデータＰＤＵを備えていないとき、前記ＳＤＡＰ制御ＰＤＵを生成すること
をさらに備える、請求項１０に記載の方法。
【請求項１２】
ワイヤレス通信ネットワーク内の被スケジューリングエンティティであって、
プロセッサと、
前記プロセッサに通信可能に結合されたトランシーバと、
前記プロセッサに通信可能に結合されたメモリと
を備え、前記プロセッサは、
第１のデータ無線ベアラ（ＤＲＢ）から第２のＤＲＢへの第１のサービス品質（ＱｏＳ）フローのマッピング再構成を検出することと、
前記マッピング再構成に応答してサービスデータ適応プロトコル（ＳＤＡＰ）制御プロトコルデータユニット（ＰＤＵ）を生成することと、ここにおいて、前記ＳＤＡＰ制御ＰＤＵは、前記第１のＱｏＳフローに関連する最終ＳＤＡＰデータＰＤＵが前記第１のＤＲＢ上で送信されたというインジケーションを提供する、
前記トランシーバを介して、スケジューリングエンティティに前記第１のＤＲＢを介して前記ＳＤＡＰ制御ＰＤＵを送信することと
を行うように構成される、被スケジューリングエンティティ。
【請求項１３】
前記プロセッサは、
無線リソース制御（ＲＲＣ）メッセージを介して前記マッピング再構成を検出するようにさらに構成される、
請求項１２に記載の被スケジューリングエンティティ。
【請求項１４】
前記プロセッサは、
リフレクティブマッピングを介して前記マッピング再構成を検出するようにさらに構成され、ここにおいて、前記マッピング再構成は、前記第１のＱｏＳフローに関連するパケットが、最初に前記第１のＤＲＢを介して受信された後に前記第２のＤＲＢを介して受信されるかどうかに基づいて検出される、
請求項１２に記載の被スケジューリングエンティティ。
【請求項１５】
前記プロセッサは、
前記ＳＤＡＰ制御ＰＤＵ内に制御識別子を含めるようにさらに構成され、ここで、前記制御識別子は、前記ＳＤＡＰ制御ＰＤＵとＳＤＡＰデータＰＤＵとの区別を容易にする、
請求項１２に記載の被スケジューリングエンティティ。
【請求項１６】
前記プロセッサは、
前記ＳＤＡＰ制御ＰＤＵおよび前記ＳＤＡＰデータＰＤＵの各々にデータ／制御（Ｄ／Ｃ）ビットを含めるようにさらに構成され、ここにおいて、前記Ｄ／Ｃビットは、前記ＳＤＡＰ制御ＰＤＵと前記ＳＤＡＰデータＰＤＵとの前記区別を容易にする、
請求項１５に記載の被スケジューリングエンティティ。
【請求項１７】
前記プロセッサは、
前記ＳＤＡＰ制御ＰＤＵ内にＱｏＳフロー識別子（ＱＦＩ）パラメータを含めるようにさらに構成され、ここにおいて、前記ＱＦＩパラメータは、前記ＳＤＡＰ制御ＰＤＵに含まれる制御情報に適用可能な特定のＱｏＳフローを識別する、
請求項１２に記載の被スケジューリングエンティティ。
【請求項１８】
前記プロセッサは、
前記ＳＤＡＰ制御ＰＤＵ内の前記ＱＦＩパラメータを前記第１のＱｏＳフローに対応する値に設定するようにさらに構成される、
請求項１７に記載の被スケジューリングエンティティ。
【請求項１９】
前記プロセッサは、
前記スケジューリングエンティティ内の受信機側ＳＤＡＰレイヤが前記第１のＤＲＢを介して前記第１のＱｏＳフローに関連する前記最終ＳＤＡＰデータＰＤＵを受信した後に前記ＳＤＡＰ制御ＰＤＵを受信することを可能にするために、前記被スケジューリングエンティティ内の送信機側ＳＤＡＰレイヤが前記第１のＤＲＢを介して前記第１のＱｏＳフローに関連する前記最終ＳＤＡＰデータＰＤＵを送信した後に前記ＳＤＡＰ制御ＰＤＵを送信するという順序を順守するようにさらに構成される、
請求項１２に記載の被スケジューリングエンティティ。
【請求項２０】
前記プロセッサは、
前記メモリ内のバッファが前記第１のＱｏＳフローに関連する未送信のＳＤＡＰデータＰＤＵを備えているかどうかを識別することと、
前記バッファが前記第１のＱｏＳフローに関連する前記未送信のＳＤＡＰデータＰＤＵを備えているとき、前記未送信のＳＤＡＰデータＰＤＵのＳＤＡＰヘッダにエンドマーカパラメータを含めることと、ここにおいて、前記エンドマーカパラメータは、前記未送信のＳＤＡＰデータＰＤＵが前記第１のＤＲＢ上の前記第１のＱｏＳフローに関連する前記最終ＳＤＡＰデータＰＤＵであることを示す、
前記スケジューリングエンティティに前記未送信のＳＤＡＰデータＰＤＵを送信することと
を行うようにさらに構成される、請求項１２に記載の被スケジューリングエンティティ。
【請求項２１】
前記プロセッサは、
前記バッファが前記第１のＱｏＳフローに関連する前記未送信のＳＤＡＰデータＰＤＵを備えていないとき、前記ＳＤＡＰ制御ＰＤＵを生成するようにさらに構成される、
請求項２０に記載の被スケジューリングエンティティ。
【請求項２２】
ワイヤレス通信の方法であって、
送信機から、第１のデータ無線ベアラ（ＤＲＢ）および第２のＤＲＢの両方を介して、第１のＱｏＳフローに関連する複数のサービスデータ適応プロトコル（ＳＤＡＰ）データプロトコルデータユニット（ＰＤＵ）を受信することと、
前記送信機から、前記第１のＤＲＢを介して前記第１のＱｏＳフローに適用可能なＳＤＡＰ制御ＰＤＵを受信することと、
前記第１のＤＲＢを介して前記第１のＱｏＳフローに適用可能な前記ＳＤＡＰ制御ＰＤＵを受信することに応答して、前記第２のＤＲＢを介して受信された前記複数のＳＤＡＰデータＰＤＵを上位レイヤに転送することと
を備え、
ここにおいて、前記ＳＤＡＰ制御ＰＤＵは、前記第１のＱｏＳフローに関連する最終ＳＤＡＰデータＰＤＵが前記第１のＤＲＢ上で送信されたというインジケーションを提供する、
方法。
【請求項２３】
前記ＳＤＡＰ制御ＰＤＵ内の制御識別子に基づいて前記ＳＤＡＰ制御ＰＤＵを識別することをさらに備え、ここで、前記制御識別子は、前記ＳＤＡＰ制御ＰＤＵと前記少なくとも１つのＳＤＡＰデータＰＤＵとの区別を容易にする、
請求項２２に記載の方法。
【請求項２４】
前記ＳＤＡＰ制御ＰＤＵを識別することは、
前記ＳＤＡＰ制御ＰＤＵおよび前記少なくとも１つのＳＤＡＰデータＰＤＵの各々におけるデータ／制御（Ｄ／Ｃ）ビットの値を確認することをさらに備え、ここにおいて、前記Ｄ／Ｃビットは、前記ＳＤＡＰ制御ＰＤＵと前記少なくとも１つのＳＤＡＰデータＰＤＵとの前記区別を容易にする、
請求項２３に記載の方法。
【請求項２５】
前記ＳＤＡＰ制御ＰＤＵ中のＱｏＳフロー識別子（ＱＦＩ）パラメータを識別することと、
前記ＳＤＡＰ制御ＰＤＵ中の前記ＱＦＩパラメータによって識別された前記第１のＱｏＳフローにのみ前記ＳＤＡＰ制御ＰＤＵの制御情報を適用することと
をさらに備える、請求項２２に記載の方法。
【請求項２６】
ワイヤレス通信ネットワーク内のスケジューリングエンティティであって、
プロセッサと、
前記プロセッサに通信可能に結合されたトランシーバと、
前記プロセッサに通信可能に結合されたメモリと
を備え、前記プロセッサは、
前記トランシーバを介して、被スケジューリングエンティティから第１のデータ無線ベアラ（ＤＲＢ）および第２のＤＲＢの両方を介して第１のＱｏＳフローに関連する複数のサービスデータ適応プロトコル（ＳＤＡＰ）データプロトコルデータユニット（ＰＤＵ）を受信することと、
前記トランシーバを介して、前記被スケジューリングエンティティから前記第１のＤＲＢを介して前記第１のＱｏＳフローに適用可能なＳＤＡＰ制御ＰＤＵを受信することと、
前記第１のＤＲＢを介して前記第１のＱｏＳフローに適用可能な前記ＳＤＡＰ制御ＰＤＵを受信することに応答して、前記第２のＤＲＢを介して受信された前記複数のＳＤＡＰデータＰＤＵを上位レイヤに転送することと
を行うように構成され、
ここにおいて、前記ＳＤＡＰ制御ＰＤＵは、前記第１のＱｏＳフローに関連する最終ＳＤＡＰデータＰＤＵが前記第１のＤＲＢ上で送信されたというインジケーションを提供する、
スケジューリングエンティティ。
【請求項２７】
前記プロセッサは、
前記ＳＤＡＰ制御ＰＤＵ内の制御識別子に基づいて前記ＳＤＡＰ制御ＰＤＵを識別するようにさらに構成され、ここで、前記制御識別子は、前記ＳＤＡＰ制御ＰＤＵと前記少なくとも１つのＳＤＡＰデータＰＤＵとの区別を容易にする、
請求項２６に記載のスケジューリングエンティティ。
【請求項２８】
前記プロセッサは、
前記ＳＤＡＰ制御ＰＤＵおよび前記少なくとも１つのＳＤＡＰデータＰＤＵの各々におけるデータ／制御（Ｄ／Ｃ）ビットの値を確認するようにさらに構成され、ここにおいて、前記Ｄ／Ｃビットは、前記ＳＤＡＰ制御ＰＤＵと前記少なくとも１つのＳＤＡＰデータＰＤＵとの前記区別を容易にする、
請求項２７に記載のスケジューリングエンティティ。
【請求項２９】
前記プロセッサは、
前記ＳＤＡＰ制御ＰＤＵ中のＱｏＳフロー識別子（ＱＦＩ）パラメータを識別することと、
前記ＳＤＡＰ制御ＰＤＵ中の前記ＱＦＩパラメータによって識別された前記第１のＱｏＳフローにのみ前記ＳＤＡＰ制御ＰＤＵの制御情報を適用することと
を行うようにさらに構成される、請求項２６に記載のスケジューリングエンティティ。
【請求項３０】
ワイヤレス通信の方法であって、
第１のデータ無線ベアラ（ＤＲＢ）から第２のＤＲＢへの第１のサービス品質（ＱｏＳ）フローのマッピング再構成を検出することと、
前記マッピング再構成の後に上位レイヤから受信された第１のＳＤＡＰデータプロトコルデータユニット（ＰＤＵ）のサービスデータ適応プロトコル（ＳＤＡＰ）ヘッダにエンドマーカパラメータを設定することと、ここにおいて、前記エンドマーカパラメータは、前記第１のＳＤＡＰデータＰＤＵが前記第１のＤＲＢ上の前記第１のＱｏＳフローに関連する最終ＳＤＡＰデータＰＤＵであるというインジケーションを提供する、
前記第１のＳＤＡＰデータＰＤＵと前記第１のＱｏＳフローに関連する少なくとも１つの後続のＳＤＡＰデータＰＤＵとを受信機に送信することと、ここで、前記第１のＳＤＡＰデータＰＤＵは、前記第１のＤＲＢを介して送信され、前記少なくとも１つの後続のＳＤＡＰデータＰＤＵは、前記第２のＤＲＢを介して送信される、
を備える方法。
【請求項３１】
前記マッピング再構成を検出することは、
無線リソース制御（ＲＲＣ）メッセージを介して前記マッピング再構成を検出すること
を備える、請求項３０に記載の方法。
【請求項３２】
前記マッピング再構成を検出することは、
リフレクティブマッピングを介して前記マッピング再構成を検出することを備え、ここにおいて、前記マッピング再構成は、前記第１のＱｏＳフローに関連するパケットが、最初に前記第１のＤＲＢを介して受信された後に前記第２のＤＲＢを介して受信されるかどうかに基づいて検出される、
請求項３０に記載の方法。
【請求項３３】
ワイヤレス通信ネットワーク内の被スケジューリングエンティティであって、
プロセッサと、
前記プロセッサに通信可能に結合されたトランシーバと、
前記プロセッサに通信可能に結合されたメモリと
を備え、前記プロセッサは、
第１のデータ無線ベアラ（ＤＲＢ）から第２のＤＲＢへの第１のサービス品質（ＱｏＳ）フローのマッピング再構成を検出することと、
前記マッピング再構成の後に上位レイヤから受信された第１のＳＤＡＰデータプロトコルデータユニット（ＰＤＵ）のサービスデータ適応プロトコル（ＳＤＡＰ）ヘッダにエンドマーカパラメータを設定することと、ここにおいて、前記エンドマーカパラメータは、前記第１のＳＤＡＰデータＰＤＵが前記第１のＤＲＢ上の前記第１のＱｏＳフローに関連する最終ＳＤＡＰデータＰＤＵであるというインジケーションを提供する、
前記トランシーバを介して、前記第１のＳＤＡＰデータＰＤＵと前記第１のＱｏＳフローに関連する少なくとも１つの後続のＳＤＡＰデータＰＤＵとをスケジューリングエンティティに送信することと、ここで、前記第１のＳＤＡＰデータＰＤＵは、前記第１のＤＲＢを介して送信され、前記少なくとも１つの後続のＳＤＡＰデータＰＤＵは、前記第２のＤＲＢを介して送信される、
を行うように構成される、被スケジューリングエンティティ。
【請求項３４】
前記プロセッサは、
無線リソース制御（ＲＲＣ）メッセージを介して前記マッピング再構成を検出するようにさらに構成される、
請求項３３に記載の被スケジューリングエンティティ。
【請求項３５】
前記プロセッサは、
リフレクティブマッピングを介して前記マッピング再構成を検出するようにさらに構成され、ここにおいて、前記マッピング再構成は、前記第１のＱｏＳフローに関連するパケットが、最初に前記第１のＤＲＢを介して受信された後に前記第２のＤＲＢを介して受信されるかどうかに基づいて検出される、
請求項３３に記載の被スケジューリングエンティティ。
【発明の詳細な説明】
【関連出願の相互参照】
【０００１】
[0001]本出願は、２０１９年４月１０日に米国特許商標庁に出願された非仮特許出願第１６／３８０，９２４号および２０１８年４月１３日に米国特許商標庁に出願された仮特許出願第６２／６５７，６６４号の優先権および利益を主張するものであり、これらの全内容は、全体が以下に完全に記載されているかのように、そしてすべての適用可能な目的のために、参照により本明細書に組み込まれる。
【技術分野】
【０００２】
[0002]以下で説明される技術は一般に、ワイヤレス通信システムに関し、より詳細には、サービス品質（ＱｏＳ）フロー再マッピングを容易にするためにサービスデータ適応プロトコル（ＳＤＡＰ）レイヤを利用することに関する。
【背景技術】
【０００３】
[0003]ワイヤレス通信ネットワーク内では、サービス品質（ＱｏＳ）は、ネットワークが特定の性能パラメータ（例えば、信頼性および／またはターゲット遅延）を満たすことを可能にする技術のセットを指す。そのようなＱｏＳ技術は、ネットワーク内の異なるトラフィックフローに異なる処理を適用することによって、これらの性能パラメータを達成する。例えば、各フローは、特定のＱｏＳが割り当てられ得、これは、ネットワークが、とりわけ、フローの各々からのパケットが処理される順序および各フローに割り振られる帯域幅の量を決定するのを支援する。各ＱｏＳフローは、ユーザ機器（ＵＥ）と基地局との間に確立されるデータ無線ベアラ（ＤＲＢ）にさらにマッピングされ得る。
【０００４】
[0004]しかしながら、特定のＱｏＳフローを対応するデータ無線ベアラにマッピングおよび再マッピングすることは、第５世代（５Ｇ）、例えば新無線（ＮＲ）、ネットワークの導入によってより困難なものになってきている。モバイルブロードバンドアクセスに対する需要が増加し続けるに伴い、モバイルブロードバンドアクセスに対する高まる需要を満たすためだけでなく、モバイル通信のユーザエクスペリエンスを高めるおよび向上させるために、研究および開発は、特にＱｏＳフローマッピングを向上させるための技術を含む通信技術を進化させ続ける。
【発明の概要】
【０００５】
[0005]本開示の１つまたは複数の態様の基本的な理解を与えるために、そのような態様の簡略化された概要を以下に提示する。この概要は、本開示の意図されるすべての特徴の広範な概略ではなく、本開示のすべての態様の主要なエレメントまたは重要なエレメントを識別することも、本開示の任意のまたはすべての態様の範囲を線引きすることも意図しない。その唯一の目的は、後に提示されるより詳細な説明への前置きとして、本開示の１つまたは複数の態様のいくつかのコンセプトを、簡略化された形式で提示することである。
【０００６】
[0006]本開示の様々な態様は、サービス品質（ＱｏＳ）フロー再マッピングを容易にするためにサービスデータ適応プロトコル（ＳＤＡＰ）レイヤを利用するためのメカニズムに関する。ある例では、第１のデータ無線ベアラ（ＤＲＢ）から別のＤＲＢへの第１のＱｏＳフローのマッピング再構成を検出すると、第１のＱｏＳフローに関連する最終サービスデータ適応プロトコル（ＳＤＡＰ）データプロトコルデータユニット（ＰＤＵ）が第１のＤＲＢ上で送信されたことを示すＳＤＡＰ制御ＰＤＵが生成される。次いで、ＳＤＡＰ制御ＰＤＵが第１のＤＲＢを介して受信機に送信される。別の例では、第１のＤＲＢから別のＤＲＢへの第１のＱｏＳフローのマッピング再構成を検出すると、第１のＳＤＡＰデータＰＤＵが第１のＤＲＢ上で送信された第１のＱｏＳフローに関連する最終ＳＤＡＰデータＰＤＵであることを示すマッピング再構成の後に上位レイヤから受信された第１のＳＤＡＰデータＰＤＵのＳＤＡＰヘッダにエンドマーカパラメータが設定される。次いで、第１のＳＤＡＰデータＰＤＵと第１のＱｏＳフローに関連する少なくとも１つの後続のＳＤＡＰデータＰＤＵとは、第１のＳＤＡＰデータＰＤＵが第１のＤＲＢを介して送信され、少なくとも１つの後続のＳＤＡＰデータＰＤＵが第２のＤＲＢを介して送信されるように受信機に送信され得る。
【０００７】
[0007]一例では、ワイヤレス通信の方法が開示される。方法は、第１のデータ無線ベアラ（ＤＲＢ）から第２のＤＲＢへの第１のサービス品質（ＱｏＳ）フローのマッピング再構成を検出することと、マッピング再構成に応答してサービスデータ適応プロトコル（ＳＤＡＰ）制御プロトコルデータユニット（ＰＤＵ）を生成することとを含み、ここで、ＳＤＡＰ制御ＰＤＵは、第１のＱｏＳフローに関連する最終ＳＤＡＰデータＰＤＵが第１のＤＲＢ上で送信されたというインジケーションを提供する。方法は、第１のＤＲＢを介して受信機にＳＤＡＰ制御ＰＤＵを送信することをさらに含む。
【０００８】
[0008]別の例は、ワイヤレス通信ネットワーク内の被スケジューリングエンティティを提供する。被スケジューリングエンティティは、プロセッサと、プロセッサに通信可能に結合されたトランシーバと、プロセッサに通信可能に結合されたメモリとを含む。プロセッサは、第１のデータ無線ベアラ（ＤＲＢ）から第２のＤＲＢへの第１のサービス品質（ＱｏＳ）フローのマッピング再構成を検出し、マッピング再構成に応答してサービスデータ適応プロトコル（ＳＤＡＰ）制御プロトコルデータユニット（ＰＤＵ）を生成するように構成され、ここで、ＳＤＡＰ制御ＰＤＵは、第１のＱｏＳフローに関連する最終ＳＤＡＰデータＰＤＵが第１のＤＲＢ上で送信されたというインジケーションを提供する。プロセッサは、トランシーバを介して、スケジューリングエンティティに第１のＤＲＢを介してＳＤＡＰ制御ＰＤＵを送信するようにさらに構成される。
【０００９】
[0009]別の例は、ワイヤレス通信の方法を提供する。方法は、第１のデータ無線ベアラ（ＤＲＢ）および第２のＤＲＢの両方を介して、第１のＱｏＳフローに関連する複数のサービスデータ適応プロトコル（ＳＤＡＰ）データプロトコルデータユニット（ＰＤＵ）を受信することと、第１のＤＲＢを介して第１のＱｏＳフローに適用可能なＳＤＡＰ制御ＰＤＵを受信することと、第１のＤＲＢを介して第１のＱｏＳフローに適用可能なＳＤＡＰ制御ＰＤＵを受信することに応答して、第２のＤＲＢを介して受信された複数のＳＤＡＰデータＰＤＵを上位レイヤに転送することとを含み、ここで、ＳＤＡＰ制御ＰＤＵは、第１のＱｏＳフローに関連する最終ＳＤＡＰデータＰＤＵが第１のＤＲＢ上で送信されたというインジケーションを提供する。
【００１０】
[0010]別の例は、ワイヤレス通信ネットワーク内のスケジューリングエンティティを提供する。スケジューリングエンティティは、プロセッサと、プロセッサに通信可能に結合されたトランシーバと、プロセッサに通信可能に結合されたメモリとを含む。プロセッサは、トランシーバを介して、被スケジューリングエンティティから第１のデータ無線ベアラ（ＤＲＢ）および第２のＤＲＢの両方を介して第１のＱｏＳフローに関連する複数のサービスデータ適応プロトコル（ＳＤＡＰ）データプロトコルデータユニット（ＰＤＵ）を受信し、トランシーバを介して、被スケジューリングエンティティから第１のＤＲＢを介して第１のＱｏＳフローに適用可能なＳＤＡＰ制御ＰＤＵを受信し、第１のＤＲＢを介して第１のＱｏＳフローに適用可能なＳＤＡＰ制御ＰＤＵを受信することに応答して、第２のＤＲＢを介して受信された複数のＳＤＡＰデータＰＤＵを上位レイヤに転送するように構成され、ここで、ＳＤＡＰ制御ＰＤＵは、第１のＱｏＳフローに関連する最終ＳＤＡＰデータＰＤＵが第１のＤＲＢ上で送信されたというインジケーションを提供する。
【００１１】
[0011]別の例は、ワイヤレス通信の方法を提供する。方法は、第１のデータ無線ベアラ（ＤＲＢ）から第２のＤＲＢへの第１のサービス品質（ＱｏＳ）フローのマッピング再構成を検出することと、マッピング再構成の後に上位レイヤから受信された第１のＳＤＡＰデータプロトコルデータユニット（ＰＤＵ）のサービスデータ適応プロトコル（ＳＤＡＰ）ヘッダにエンドマーカパラメータを設定することとを含み、ここで、エンドマーカパラメータは、第１のＳＤＡＰデータＰＤＵが第１のＤＲＢ上の第１のＱｏＳフローに関連する最終ＳＤＡＰデータＰＤＵであるというインジケーションを提供する。方法は、第１のＳＤＡＰデータＰＤＵと第１のＱｏＳフローに関連する少なくとも１つの後続のＳＤＡＰデータＰＤＵとを受信機に送信することをさらに含み、ここで、第１のＳＤＡＰデータＰＤＵは、第１のＤＲＢを介して送信され、少なくとも１つの後続のＳＤＡＰデータＰＤＵは、第２のＤＲＢを介して送信される。
【００１２】
[0012]別の例は、ワイヤレス通信ネットワークにおける被スケジューリングエンティティを提供する。被スケジューリングエンティティは、プロセッサと、プロセッサに通信可能に結合されたトランシーバと、プロセッサに通信可能に結合されたメモリとを含む。プロセッサは、第１のデータ無線ベアラ（ＤＲＢ）から第２のＤＲＢへの第１のサービス品質（ＱｏＳ）フローのマッピング再構成を検出し、マッピング再構成の後に上位レイヤから受信された第１のＳＤＡＰデータプロトコルデータユニット（ＰＤＵ）のサービスデータ適応プロトコル（ＳＤＡＰ）ヘッダにエンドマーカパラメータを設定するように構成され、ここで、エンドマーカパラメータは、第１のＳＤＡＰデータＰＤＵが第１のＤＲＢ上の第１のＱｏＳフローに関連する最終ＳＤＡＰデータＰＤＵであるというインジケーションを提供する。プロセッサは、トランシーバを介して、第１のＳＤＡＰデータＰＤＵと第１のＱｏＳフローに関連する少なくとも１つの後続のＳＤＡＰデータＰＤＵとをスケジューリングエンティティに送信するようにさらに構成され、ここで、第１のＳＤＡＰデータＰＤＵは、第１のＤＲＢを介して送信され、少なくとも１つの後続のＳＤＡＰデータＰＤＵは、第２のＤＲＢを介して送信される。
【００１３】
[0013]本発明のこれらの態様および他の態様は、次に続く詳細な説明の検討により、より十分に理解されるであろう。本発明の他の態様、特徴、および実施形態は、本発明の特定の例示的な実施形態の以下の説明を添付の図と併せて検討することにより、当業者に明らかになるであろう。本発明の特徴は、以下の特定の実施形態および図に関して説明され得るが、本発明のすべての実施形態は、本明細書で説明される有利な特徴のうちの１つまたは複数を含むことができる。換言すると、１つまたは複数の実施形態は、特定の有利な特徴を有するものとして説明され得るが、そのような特徴のうちの１つまたは複数はまた、本明細書で説明される発明の様々な実施形態にしたがって使用され得る。同様に、例示的な実施形態は、デバイス、システム、または方法の実施形態として以下で説明され得るが、そのような例示的な実施形態が様々なデバイス、システム、および方法でインプリメントされ得ることは理解されるべきである。
【図面の簡単な説明】
【００１４】
【図１】[0014]図１は、ワイヤレス通信システムの略図である。
【図２】[0015]図２は、無線アクセスネットワークの例の概念図である。
【図３】[0016]ユーザプレーンおよび制御プレーンに関する無線プロトコルアーキテクチャの例を例示する図である。
【図４】[0017]図４は、本明細書で開示される態様を容易にする例示的なサービス品質（ＱｏＳ）アーキテクチャを例示する図である。
【図５】[0018]図５は、第１のデータ無線ベアラ（ＤＲＢ）から第２のＤＲＢへのＱｏＳフローの例示的な再マッピングを例示する図である。
【図６】[0019]図６は、例示的なサービスデータ適応プロトコル（ＳＤＡＰ）制御プロトコルデータユニット（ＰＤＵ）およびＳＤＡＰデータＰＤＵを例示する図である。
【図７】[0020]図７は、別の例示的なＳＤＡＰデータＰＤＵを例示する図である。
【図８】[0021]図８は、処理システムを用いる被スケジューリングエンティティのためのハードウェアインプリメンテーションの例を例示するブロック図である。
【図９】[0022]図９は、処理システムを用いるスケジューリングエンティティのためのハードウェアインプリメンテーションの例を例示するブロック図である。
【図１０】[0023]図１０は、ＱｏＳフロー再マッピングを容易にするための例示的なプロセスを例示するフローチャートである。
【図１１】[0024]図１１は、ＱｏＳフロー再マッピングを容易にするための別の例示的なプロセスを例示するフローチャートである。
【図１２】[0025]図１２は、ＱｏＳフロー再マッピングを容易にするための別の例示的なプロセスを例示するフローチャートである。
【図１３】[0026]図１３は、ＱｏＳフロー再マッピングを容易にするための別の例示的なプロセスを例示するフローチャートである。
【詳細な説明】
【００１５】
[0027]添付の図面に関連して以下に示される詳細な説明は、様々な構成の説明として意図されるものであり、本明細書で説明されるコンセプトが実施され得る唯一の構成を表すことが意図されるものではない。詳細な説明は、様々なコンセプトの完全な理解を与えるために特定の詳細を含む。しかしながら、これらのコンセプトがこれらの特定の詳細なしに実施され得ることは、当業者に明らかになるであろう。いくつかの事例では、そのようなコンセプトを曖昧にしないために、周知の構造および構成要素はブロック図の形式で示される。
【００１６】
[0028]態様および実施形態は、本出願では、いくつかの例への例示によって説明されるが、当業者は、追加のインプリメンテーションおよび使用事例が、多くの異なる配置およびシナリオにおいて起こり得ることを理解するであろう。本明細書で説明される発明は、多くの異なるプラットフォームタイプ、デバイス、システム、形状、サイズ、パッケージング配置にわたってインプリメントされ得る。例えば、実施形態および／または使用は、集積チップ実施形態および他の非モジュール構成要素ベースのデバイス（例えば、エンドユーザデバイス、車両、通信デバイス、コンピューティングデバイス、産業機器、小売／購買デバイス、医療デバイス、ＡＩ対応デバイス、等）を介して起こり得る。いくつかの例は、使用事例またはアプリケーションを明確に対象とする場合もしない場合もあるが、説明される発明の適用性の幅広い類別が発生し得る。インプリメンテーションは、チップレベルまたはモジュール式の構成要素から、非モジュール式で非チップレベルのインプリメンテーションまで、さらには説明される発明の１つまたは複数の態様を組み込むアグリゲート、分散、またはＯＥＭデバイスまたはシステムまでのスペクトルに及び得る。いくつかの実用的な設定では、説明される態様および特徴を組み込むデバイスはまた、特許請求され、説明される実施形態のインプリメンテーションおよび実施のための追加の構成要素および特徴を必然的に含み得る。例えば、ワイヤレス信号の送信および受信は、必然的に、アナログおよびデジタル目的でいくつかの構成要素（例えば、アンテナ、ＲＦチェーン、電力増幅器、変調器、バッファ、（１つまたは複数の）プロセッサ、インターリーバ、加算器（adder）／加算器（summer）、等を含むハードウェア構成要素）を含む。本明細書で説明される発明が、様々なサイズ、形状、および構成の多種多様なデバイス、チップレベルの構成要素、システム、分散配置、エンドユーザデバイス、等において実施され得ることは意図される。
【００１７】
[0029]本開示全体にわたって提示される様々なコンセプトは、幅広い種類の電気通信システム、ネットワークアーキテクチャ、および通信規格にわたってインプリメントされ得る。ここで図１を参照すると、限定ではなく実例となる例として、本開示の様々な態様は、ワイヤレス通信システム１００を参照して例示される。ワイヤレス通信システム１００は、コアネットワーク１０２、無線アクセスネットワーク（ＲＡＮ）１０４、およびユーザ機器（ＵＥ）１０６という３つの相互作用ドメインを含む。ワイヤレス通信システム１００により、ＵＥ１０６は、インターネットのような（しかしそれに限定されない）外部のデータネットワーク１１０とのデータ通信を実行することが可能になり得る。
【００１８】
[0030]ＲＡＮ１０４は、ＵＥ１０６への無線アクセスを提供するために、１つまたは複数の任意の適切なワイヤレス通信技術をインプリメントし得る。一例として、ＲＡＮ１０４は、５Ｇと呼ばれることが多い第３世代パートナーシッププロジェクト（３ＧＰＰ（登録商標））新無線（ＮＲ）仕様に従って動作し得る。別の例として、ＲＡＮ１０４は、５Ｇ ＮＲと、ＬＴＥ（登録商標）と呼ばれることが多い発展型ユニバーサル地上無線アクセスネットワーク（ｅＵＴＲＡＮ）規格とのハイブリッド下で動作し得る。３ＧＰＰは、このハイブリッドＲＡＮを、次世代ＲＡＮまたはＮＧ−ＲＡＮと呼ぶ。当然ながら、多くの他の例が、本開示の範囲内で利用され得る。
【００１９】
[0031]例示されるように、ＲＡＮ１０４は、複数の基地局１０８を含む。概して、基地局は、ＵＥへのまたはＵＥからの、１つまたは複数のセルにおける無線送信および受信を担う無線アクセスネットワークにおけるネットワークエレメントである。異なる技術、規格、またはコンテキストでは、基地局は、当業者によって、トランシーバ基地局（ＢＴＳ）、無線基地局、無線トランシーバ、トランシーバ機能、基本サービスセット（ＢＳＳ）、拡張サービスセット（ＥＳＳ）、アクセスポイント（ＡＰ）、ノードＢ（ＮＢ）、ｅノードＢ（ｅＮＢ）、ｇノードＢ（ｇＮＢ）、または何らかの他の適切な用語で様々に呼ばれ得る。
【００２０】
[0032]複数のモバイル装置のためのワイヤレス通信をサポートする無線アクセスネットワーク１０４がさらに例示される。モバイル装置は、３ＧＰＰ規格ではユーザ機器（ＵＥ）と呼ばれ得るが、当業者によって、モバイル局（ＭＳ）、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末（ＡＴ）、モバイル端末、ワイヤレス端末、リモート端末、ハンドセット、端末、ユーザエージェント、モバイルクライアント、クライアント、または何らかの他の適切な用語でも呼ばれ得る。ＵＥは、ネットワークサービスへのアクセスをユーザに提供する装置であり得る。
【００２１】
[0033]本明細書内では、「モバイル」装置は、必ずしも移動する能力を有する必要はなく、静止している可能性がある。モバイル装置またはモバイルデバイスという用語は、デバイスおよび技術の多様なアレイを広く指す。ＵＥは、通信に役立つようにサイズ決定、成形、および配置されたいくつかのハードウェア構造構成要素を含み得、そのような構成要素は、互いに電気的に結合されたアンテナ、アンテナアレイ、ＲＦチェーン、増幅器、１つまたは複数のプロセッサ、等を含むことができる。例えば、モバイル装置のいくつかの非限定的な例には、モバイル、セルラ（携帯）電話、スマートフォン、セッション開始プロトコル（ＳＩＰ）電話、ラップトップ、パーソナルコンピュータ（ＰＣ）、ノートブック、ネットブック、スマートブック、タブレット、携帯情報端末（ＰＤＡ）、および、例えば、「モノのインターネット」（ＩｏＴ）に対応する幅広い組込みシステムが含まれる。モバイル装置は、追加的に、自動車または他の運搬車両、リモートセンサまたはアクチュエータ、ロボットまたはロボティクスデバイス、衛星ラジオ、全地球測位システム（ＧＰＳ）デバイス、オブジェクト追跡デバイス、ドローン、マルチコプタ、クアッドコプタ、リモート制御デバイス、アイウェア、ウェアラブルカメラ、仮想現実デバイス、スマートウォッチ、ヘルスまたはフィットネストラッカ、デジタルオーディオプレーヤ（例えば、ＭＰ３プレーヤ）、カメラ、ゲームコンソール、等のような消費者および／またはウェアラブルデバイスであり得る。モバイル装置は、追加的に、ホームオーディオ、ビデオ、および／またはマルチメディアデバイスのようなデジタルホームまたはスマートホームデバイス、電化製品、自動販売機、インテリジェント照明、ホームセキュリティシステム、スマートメータ、等であり得る。モバイル装置は、追加的に、スマートエネルギーデバイス、セキュリティデバイス、ソーラーパネルまたはソーラーアレイ、電力、照明、水、等を制御する自治体インフラストラクチャデバイス（例えば、スマートグリッド）、工業オートメーションおよびエンタープライズデバイス、ロジスティクスコントローラ、農業機器、軍事防衛装備、車両、航空機、船舶、および兵器、等であり得る。さらに、モバイル装置は、コネクティッドメディスン（connected medicine）または遠隔診療サポート、すなわち、遠方での健康管理、を提供し得る。遠隔医療デバイス（telehealth device）は、遠隔医療監視デバイスおよび遠隔医療管理デバイスを含み得、その通信には、例えば、重要なサービスデータのトランスポートのための優先されたアクセス、および／または重要なサービスデータのトランスポートのための関連するＱｏＳの観点から、他のタイプの情報より優遇された措置または優先されたアクセスが与えられ得る。
【００２２】
[0034]ＲＡＮ１０４とＵＥ１０６との間のワイヤレス通信は、エアインターフェースを利用して説明され得る。基地局（例えば、基地局１０８）から１つまたは複数のＵＥ（例えば、ＵＥ１０６）へのエアインターフェースを介した送信は、ダウンリンク（ＤＬ）送信と呼ばれ得る。本開示の特定の態様によれば、ダウンリンクという用語は、スケジューリングエンティティ（以下でさらに説明される、例えば、基地局１０８）から発信されるポイント・ツー・マルチポイント送信を指し得る。この方式を説明する別の方法は、ブロードキャストチャネル多重化という用語を使用することであり得る。ＵＥ（例えば、ＵＥ１０６）から基地局（例えば、基地局１０８）への送信は、アップリンク（ＵＬ）送信と呼ばれ得る。本開示のさらなる態様によれば、アップリンクという用語は、被スケジューリングエンティティ（以下でさらに説明される、例えば、ＵＥ１０６）から発信されるポイント・ツー・ポイント送信を指し得る。
【００２３】
[0035]いくつかの例では、エアインターフェースへのアクセスがスケジューリングされ得、スケジューリングエンティティ（例えば、基地局１０８）は、そのサービスエリアまたはセル内のいくつかのまたはすべてのデバイスおよび機器の間の通信のためにリソースを割り振る。本開示内では、以下でさらに説明するように、スケジューリングエンティティは、１つまたは複数の被スケジューリングエンティティのためのリソースをスケジューリングし、割り振り、再構成し、解放することを担い得る。すなわち、スケジューリングされた通信の場合、被スケジューリングエンティティであり得るＵＥ１０６は、スケジューリングエンティティ１０８によって割り振られたリソースを利用し得る。
【００２４】
[0036]基地局１０８は、スケジューリングエンティティとして機能し得る唯一のエンティティではない。すなわち、いくつかの例では、ＵＥが、１つまたは複数の被スケジューリングエンティティ（例えば、１つまたは複数の他のＵＥ）のためのリソースをスケジューリングするスケジューリングエンティティとして機能し得る。
【００２５】
[0037]図１に例示されるように、スケジューリングエンティティ１０８は、ダウンリンクトラフィック１１２を１つまたは複数の被スケジューリングエンティティ１０６にブロードキャストし得る。概して、スケジューリングエンティティ１０８は、ダウンリンクトラフィック１１２と、いくつかの例では、１つまたは複数の被スケジューリングエンティティ１０６からスケジューリングエンティティ１０８へのアップリンクトラフィック１１６とを含む、ワイヤレス通信ネットワークにおけるトラフィックをスケジューリングすることを担うノードまたはデバイスである。他方では、被スケジューリングエンティティ１０６は、スケジューリング情報（例えば、許可）、同期もしくはタイミング情報、またはスケジューリングエンティティ１０８のようなワイヤレス通信ネットワーク内の別のエンティティからの他の制御情報を含むがこれらに限定されないダウンリンク制御情報１１４を受信するノードまたはデバイスである。
【００２６】
[0038]加えて、アップリンクおよび／またはダウンリンク制御情報および／またはトラフィック情報は、フレーム、サブフレーム、スロット、および／またはシンボルに時分割され得る。本明細書で使用される場合、シンボルは、直交周波数分割多重（ＯＦＤＭ）波形で、１つのサブキャリアにつき１つのリソースエレメント（ＲＥ）を搬送する時間単位を指し得る。スロットは、７つまたは１４個のＯＦＤＭシンボルを搬送し得る。サブフレームは、１ｍｓの持続時間を指し得る。複数のサブフレームまたはスロットは、まとめてグループ化されて、単一のフレームまたは無線フレームを形成し得る。当然ながら、これらの定義は必須ではなく、波形を編成するための任意の適切な方式が利用され得、波形の様々な時分割は、任意の適切な持続時間を有し得る。
【００２７】
[0039]一般に、基地局１０８は、ワイヤレス通信システムのバックホール部分１２０との通信のためのバックホールインターフェースを含み得る。バックホール１２０は、基地局１０８とコアネットワーク１０２との間のリンクを提供し得る。さらに、いくつかの例では、バックホールネットワークは、それぞれの基地局１０８間の相互接続を提供し得る。直接的な物理接続、仮想ネットワーク、または任意の適切な転送ネットワークを使用する同様のもののような、様々なタイプのバックホールインターフェースが用いられ得る。
【００２８】
[0040]コアネットワーク１０２は、ワイヤレス通信システム１００の一部であり得、ＲＡＮ１０４において使用される無線アクセス技術から独立しているであろう。いくつかの例では、コアネットワーク１０２は、５Ｇ規格（例えば、５ＧＣ）にしたがって構成され得る。他の例では、コアネットワーク１０２は、４Ｇ発展型パケットコア（ＥＰＣ）、または任意の他の適切な規格もしくは構成にしたがって構成され得る。
【００２９】
[0041]ここで図２を参照すると、限定ではなく例として、ＲＡＮ２００の略図が提供されている。いくつかの例では、ＲＡＮ２００は、上で説明され、図１に例示されたＲＡＮ１０４と同じであり得る。ＲＡＮ２００によってカバーされる地理的エリアは、１つのアクセスポイントまたは基地局からブロードキャストされる識別情報に基づいてユーザ機器（ＵＥ）によって一意に識別され得るセルラ領域（セル）に分割され得る。図２は、マクロセル２０２、２０４、および２０６と、スモールセル２０８とを例示し、それらの各々は、１つまたは複数のセクタ（図示せず）を含み得る。セクタは、セルのサブエリアである。１つのセル内のすべてのセクタは、同じ基地局によってサービス提供される。セクタ内の無線リンクは、そのセクタに属する単一の論理的な識別情報によって識別されることができる。セクタに分割されるセルでは、セル内の複数のセクタは、セルの一部分において各アンテナがＵＥとの通信を担うアンテナのグループによって形成され得る。
【００３０】
[0042]図２では、２つの基地局２１０および２１２は、セル２０２および２０４内に示され、第３の基地局２１４は、セル２０６内のリモート無線ヘッド（ＲＲＨ）２１６を制御すると示されている。すなわち、基地局は、統合アンテナを有することができるか、またはフィーダケーブルによってアンテナまたはＲＲＨに接続されることができる。例示される例では、セル２０２、２０４、および１２６は、基地局２１０、２１２、および２１４が大きいサイズを有するセルをサポートするため、マクロセルと呼ばれ得る。さらに、基地局２１８は、１つまたは複数のマクロセルと重複し得るスモールセル２０８（例えば、マイクロセル、ピコセル、フェムトセル、ホーム基地局、ホームノードＢ、ホームｅノードＢ、等）内に示されている。この例では、セル２０８は、基地局２１８が比較的小さいサイズを有するセルをサポートするため、スモールセルと呼ばれ得る。セルのサイズ決定は、システム設計および構成要素の制約にしたがって行われ得る。
【００３１】
[0043]無線アクセスネットワーク２００が任意の数のワイヤレス基地局およびセルを含み得ることは理解されるべきである。さらに、リレーノードは、所与のセルのサイズまたはカバレージエリアを拡張するために展開され得る。基地局２１０、２１２、２１４、２１８は、コアネットワークへのワイヤレスアクセスポイントを任意の数のモバイル装置に提供する。いくつかの例では、基地局２１０、２１２、２１４、および／または２１８は、上で説明され、図１に例示された基地局／スケジューリングエンティティ１０８と同じであり得る。
【００３２】
[0044]ＲＡＮ２００内で、セルは、各セルの１つまたは複数のセクタと通信状態にあり得るＵＥを含み得る。さらに、各基地局２１０、２１２、２１４、および２１８は、コアネットワーク１０２（図１参照）へのアクセスポイントをそれぞれのセル内のすべてのＵＥに提供するように構成され得る。例えば、ＵＥ２２２および２２４は、基地局２１０と通信状態にあり得、ＵＥ２２６および２２８は、基地局２１２と通信状態にあり得、ＵＥ２３０および２３２は、ＲＲＨ２１６経由で基地局２１４と通信状態にあり得、ＵＥ２３４は、基地局２１８と通信状態にあり得る。いくつかの例では、ＵＥ２２２、２２４、２２６、２２８、２３０、２３２、２３４、２３８、２４０、および／または２４２は、上で説明され、図１に例示されたＵＥ／被スケジューリングエンティティ１０６と同じであり得る。
【００３３】
[0045]いくつかの例では、ドローンまたはクワッドコプターであり得る無人航空機（ＵＡＶ）２２０は、モバイルネットワークノードであり得、ＵＥとして機能するように構成され得る。例えば、ＵＡＶ２２０は、基地局２１０と通信することによってセル２０２内で動作し得る。
【００３４】
[0046]ＲＡＮ２００のさらなる態様では、サイドリンク信号は、基地局からのスケジューリングまたは制御情報に必ずしも依存することなく、ＵＥ間で使用され得る。例えば、２つ以上のＵＥ（例えば、ＵＥ２２６および２２８）は、基地局（例えば、基地局２１２）を通して通信を中継することなく、ピア・ツー・ピア（Ｐ２Ｐ）またはサイドリンク信号２２７を使用して互いに通信し得る。さらなる例では、ＵＥ２３８は、ＵＥ２４０および２４２と通信して例示される。ここで、ＵＥ２３８は、スケジューリングエンティティまたはプライマリサイドリンクデバイスとして機能し得、ＵＥ２４０および２４２は、被スケジューリングエンティティまたは非プライマリ（例えば、セカンダリ）サイドリンクデバイスとして機能し得る。さらに別の例では、ＵＥは、デバイス・ツー・デバイス（Ｄ２Ｄ）、ピア・ツー・ピア（Ｐ２Ｐ）、もしくはビークル・ツー・ビークル（Ｖ２Ｖ）ネットワークにおいて、および／または、メッシュネットワークにおいて、スケジューリングエンティティとして機能し得る。メッシュネットワークの例では、ＵＥ２４０および２４２は、オプションで、スケジューリングエンティティ２３８と通信することに加えて、互いに直接通信し得る。ゆえに、時間周波数リソースへのスケジューリングされたアクセスを有し、セルラ構成、Ｐ２Ｐ構成、またはメッシュ構成を有するワイヤレス通信システムでは、スケジューリングエンティティおよび１つまたは複数の被スケジューリングエンティティは、スケジューリングされたリソースを利用して通信し得る。いくつかの例では、サイドリンク信号２２７は、サイドリンクトラフィックとサイドリンク制御とを含む。
【００３５】
[0047]様々なインプリメンテーションでは、無線アクセスネットワーク２００におけるエアインターフェースは、ライセンススペクトル、アンライセンススペクトル、または共有スペクトルを利用し得る。ライセンススペクトルは、一般に、モバイルネットワーク事業者が政府の規制機関からライセンスを購入することによって、スペクトルの一部分の排他的使用を提供する。アンライセンススペクトルは、政府が付与するライセンスを必要とせずにスペクトルの一部分の共有使用を提供する。一般に、アンライセンススペクトルにアクセスするためにはいくつかの技術的な規則の順守が必要とされるが、大抵、どの事業者またはデバイスでもアクセスを獲得することができる。共有スペクトルは、ライセンススペクトルとアンライセンススペクトルとの中間に位置し得、ここで、このスペクトルにアクセスするためには技術的な規則または制限が必要とされ得るが、このスペクトルは、依然として、複数の事業者および／または複数のＲＡＴによって共有され得る。例えば、ライセンススペクトルの一部分に対するライセンスの保有者は、ライセンス共有アクセス（ＬＳＡ）を提供して、例えば、アクセスを得るためのライセンシーが定めた適切な条件付きで、そのスペクトルを他の当事者と共有し得る。
【００３６】
[0048]無線アクセスネットワーク２００上の送信が、依然として非常に高いデータレートを達成しつつ低いブロック誤り率（ＢＬＥＲ）を得るために、チャネルコーディングが使用され得る。すなわち、ワイヤレス通信は、一般に、適切な誤り訂正ブロックコードを利用し得る。典型的なブロックコードでは、情報メッセージまたはシーケンスは、コードブロック（ＣＢ）に分割され、次いで、送信デバイスのエンコーダ（例えば、ＣＯＤＥＣ）が、この情報メッセージに冗長性を数学的に追加する。符号化された情報メッセージにおけるこの冗長性の利用（exploitation）は、メッセージの信頼性を高めることができ、これは、ノイズに起因して発生し得る任意のビット誤りの訂正を可能にする。
【００３７】
[0049]早期の５Ｇ ＮＲ仕様では、ユーザデータトラフィックは、一方のベースグラフが大きいコードブロックおよび／または高いコードレートに使用され、他方のベースグラフがそれ以外の場合に使用される２つの異なるベースグラフを有する準巡回低密度パリティチェック（ＬＤＰＣ）を使用してコーディングされる。制御情報および物理ブロードキャストチャネル（ＰＢＣＨ）は、ネストされたシーケンスに基づいて、ポーラコーディング（Polar coding）を使用してコーディングされる。これらのチャネルについて、レートマッチングのためにパンクチャリング、短縮、および反復が使用される。
【００３８】
[0050]しかしながら、当業者であれば、本開示の態様が任意の適切なチャネルコードを利用してインプリメントされ得ることを理解するであろう。スケジューリングエンティティ１０８および被スケジューリングエンティティエンティティ１０６の様々なインプリメンテーションは、ワイヤレス通信のためのこれらのチャネルコードのうちの１つまたは複数を利用するために適切なハードウェアおよび能力（例えば、エンコーダ、デコーダ、および／またはＣＯＤＥＣ）を含み得る。
【００３９】
[0051]無線アクセスネットワーク２００におけるエアインターフェースは、様々なデバイスの同時通信を可能にするために、１つまたは複数の多重化および多元接続アルゴリズムを利用し得る。例えば、５Ｇ ＮＲ仕様は、ＵＥ２２２および２２４から基地局２１０へのＵＬ送信のための多元接続と、サイクリックプレフィックス（ＣＰ）を有する直交周波数分割多重化（ＯＦＤＭ）を利用した、基地局２１０から１つまたは複数のＵＥ２２２および２２４へのＤＬ送信のための多重化とを提供する。加えて、ＵＬ送信の場合、５Ｇ ＮＲ仕様は、ＣＰを有する離散フーリエ変換拡散ＯＦＤＭ（ＤＦＴ−ｓ−ＯＦＤＭ）（シングルキャリアＦＤＭＡ（ＳＣ−ＦＤＭＡ）とも呼ばれる）へのサポートを提供する。しかしながら、本開示の範囲内で、多重化および多元接続は、上の方式に限定されず、時分割多元接続（ＴＤＭＡ）、符号分割多元接続（ＣＤＭＡ）、周波数分割多元接続（ＦＤＭＡ）、スパース符号多元接続（ＳＣＭＡ）、リソース拡散多元接続（ＲＳＭＡ）、または他の適切な多元接続方式を利用して提供され得る。さらに、基地局２１０からＵＥ２２２および２２４へのＤＬ送信を多重化することは、時分割多重化（ＴＤＭ）、符号分割多重化（ＣＤＭ）、周波数分割多重化（ＦＤＭ）、直交周波数分割多重化（ＯＦＤＭ）、スパース符号多重化（ＳＣＭ）、または他の適切な多重化方式を利用して提供され得る。
【００４０】
[0052]無線アクセスネットワーク２００におけるエアインターフェースは、１つまたは複数の二重化アルゴリズムをさらに利用し得る。デュプレックス（duplex）は、両方のエンドポイントが両方向に互いに通信することができるポイント・ツー・ポイント通信リンクを指す。全二重（full duplex）は、両方のエンドポイントが互いに同時に通信できることを意味する。半二重（half duplex）は、一度に一方のエンドポイントのみが他方に情報を送ることができることを意味する。ワイヤレスリンクでは、全二重チャネルは、一般に、送信機および受信機の物理的分離と、適切な干渉除去技術とに依拠する。全二重エミュレーションは、周波数分割複信（ＦＤＤ）または時分割複信（ＴＤＤ）を利用することによって、ワイヤレスリンクのために頻繁にインプリメントされる。ＦＤＤでは、異なる方向の送信は、異なるキャリア周波数で動作する。ＴＤＤでは、所与のチャネル上の異なる方向の送信は、時分割多重化を使用して互いに分離される。すなわち、いくつかの時点では、チャネルは、一方の方向の送信専用であり、他の時点では、チャネルは、他方の方向の送信専用であり、ここで、方向は、非常に急速に、例えば、１スロットあたり数回、変化し得る。
【００４１】
[0053]図２に示されるＲＡＮ２００のようなＲＡＮのための無線プロトコルアーキテクチャは、特定のアプリケーションに応じて様々な形態をとり得る。ユーザプレーンおよび制御プレーンのための無線プロトコルアーキテクチャの例が図３に例示される。
【００４２】
[0054]図３に例示されるように、ＵＥおよび基地局のための無線プロトコルアーキテクチャは、レイヤ１（Ｌ１）、レイヤ２（Ｌ２）、およびレイヤ３（Ｌ３）という３つのレイヤを含んでいる。Ｌ１は、最下位レイヤであり、様々な物理レイヤ信号処理機能をインプリメントする。Ｌ１は、本明細書では物理レイヤ３０６と呼ばれるであろう。Ｌ２ ３０８は、物理レイヤ３０６より上にあり、物理レイヤ３０６を介したＵＥと基地局との間のリンクを担う。
【００４３】
[0055]ユーザプレーンでは、Ｌ２レイヤ３０８は、ネットワーク側の基地局において終端する、媒体アクセス制御（ＭＡＣ）レイヤ３１０と、無線リンク制御（ＲＬＣ）レイヤ３１２と、パケットデータコンバージェンスプロトコル（ＰＤＣＰ）レイヤ３１４と、サービスデータ適応プロトコル（ＳＤＡＰ）レイヤ３１６とを含む。示されていないが、ＵＥは、ネットワーク側のユーザプレーン機能（ＵＰＦ）において終端する少なくとも１つのネットワークレイヤ（例えば、ＩＰレイヤおよびユーザデータプロトコル（ＵＤＰ）レイヤ）と、１つまたは複数のアプリケーションレイヤとを含む、Ｌ２レイヤ３０８より上のいくつかの上位レイヤを有し得る。
【００４４】
[0056]ＳＤＡＰレイヤ３１６は、５Ｇコア（５ＧＣ）サービス品質（ＱｏＳ）フローとデータ無線ベアラとの間のマッピングを提供し、ダウンリンクパケットおよびアップリンクパケットの両方においてＱｏＳフローＩＤマーキングを実行する。ＰＤＣＰレイヤ３１４は、パケットシーケンス番号付け、正しい順序でのパケットの配信、ＰＤＣＰプロトコルデータユニット（ＰＤＵ）の再送、および下位レイヤへの上位レイヤデータパケットの転送を提供する。ＰＤＵは、例えば、インターネットプロトコル（ＩＰ）パケット、イーサネット（登録商標）フレーム、および他の非構造化データ（すなわち、マシンタイプ通信（ＭＴＣ）、以降、集合的に「パケット」と呼ばれる）を含み得る。ＰＤＣＰレイヤ３１４はまた、無線送信オーバーヘッドを低減するための上位レイヤデータパケットのヘッダ圧縮と、データパケットを暗号化することによるセキュリティと、データパケットの完全性保護とを提供する。ＲＬＣレイヤ３１２は、上位レイヤデータパケットのセグメンテーションおよびリアセンブリと、自動再送要求（ＡＲＱ）による誤り訂正と、ＰＤＣＰシーケンス番号付けから独立しているシーケンス番号付けとを提供する。ＭＡＣレイヤ３１０は、論理チャネルとトランスポートチャネルの間の多重化を提供する。ＭＡＣレイヤ３１０はまた、１つのセルにおける様々な無線リソース（例えば、リソースブロック）をＵＥ間で割り振ることと、ＨＡＲＱ動作とを担う。物理レイヤ３０６は、（例えば、スロット内で）物理チャネル上でデータを送信および受信することを担う。
【００４５】
[0057]制御プレーンでは、ＵＥおよび基地局のための無線プロトコルアーキテクチャは、制御プレーンにＳＤＡＰレイヤがなく、制御プレーンのヘッダ圧縮機能がないことを除いて、Ｌ１ ３０６およびＬ２ ３０８について実質的に同じである。制御プレーンはまた、Ｌ３における無線リソース制御（ＲＲＣ）レイヤ３１８と、より高い非アクセス層（ＮＡＳ）レイヤ３２０とを含む。ＲＲＣレイヤ３１８は、基地局とＵＥとの間のシグナリング無線ベアラ（ＳＲＢ）およびデータ無線ベアラ（ＤＲＢ）の確立および構成、５ＧＣまたはＮＧ−ＲＡＮによって開始されるページング、ならびにアクセス層（ＡＳ）および非アクセス層（ＮＡＳ）に関するシステム情報のブロードキャストを担う。ＲＲＣレイヤ３１８は、ＱｏＳ管理、モビリティ管理（例えば、ハンドオーバ、セル選択、ＲＡＴ間モビリティ）、ＵＥ測定および報告、ならびにセキュリティ機能をさらに担う。ＮＡＳレイヤ３２０は、コアネットワークにおけるＡＭＦで終端し、認証、登録管理、および接続管理のような様々な機能を実行する。
【００４６】
[0058]本開示の様々な態様は、一般に、１つのデータ無線ベアラ（ＤＲＢ）から別のＤＲＢへのＱｏＳフロー再マッピングを容易にするためにＳＤＡＰレイヤを利用することを対象とする。図４を参照すると、本明細書で開示される態様を容易にする例示的なＱｏＳアーキテクチャ４００を例示する図が提供される。いくつかの例では、ＱｏＳアーキテクチャ４００は、５Ｇコアネットワーク（５ＧＣ）４０４に接続された新無線（ＮＲ）および５ＧＣに接続されたＥ−ＵＴＲＡの両方のために次世代ＲＡＮ（例えば、ＮＧ−ＲＡＮ）４０２内でインプリメントされる。ＮＧ−ＲＡＮ４０２は、ユーザ機器（ＵＥ）４０６およびノードＢ（例えば、次世代（ｎｇ）−ｅＮＢまたはｇＮＢ）４０８を含み、５ＧＣは、ユーザプレーン機能（ＵＰＦ）４１０を含む。５ＧＣ４０４は、コアアクセスおよびモビリティ管理機能（ＡＭＦ）、セッション管理機能（ＳＭＦ）、およびポリシー制御機能（ＰＣＦ）のような他のコアネットワークノード（図示せず）をさらに含み得る。
【００４７】
[0059]各ＵＥ（例えば、ＵＥ４０６）について、５ＧＣ４０４は、１つまたは複数のＰＤＵセッション４１２を確立する。各ＰＤＵセッション４１２は、各々が１つまたは複数のアプリケーションのセットに関連する１つまたは複数のデータフロー４１８ａ〜４１８ｃ（例えば、ＩＰ、イーサネット、および／または非構造化データフロー）を含み得る。５ＧＣ４０４は、ＰＤＵセッション４１２内でデータフロー４１８ａ〜４１８ｃの各々に関連付けられることとなるＱｏＳをさらに選択し得る。ＮＡＳレベルでは、ＱｏＳフローは、ＰＤＵセッションにおける最も細かい粒度のＱｏＳ差別化であり、５ＧＣ４０４によってＮＢ４０８に提供されるＱｏＳプロファイルと、５ＧＣ４０４によってＵＥ４０６に提供される（１つまたは複数の）ＱｏＳ規則の両方によって特徴付けられる。ＱｏＳプロファイルは、無線インターフェース上の処理（treatment）を決定するためにＮＢ４０８によって使用され、ＱｏＳ規則は、ＵＥ４０６へのＱｏＳフロー４１８ａ〜４１８ｃとアップリンクユーザプレーントラフィックとの間のマッピングを命じる（dictate）。
【００４８】
[0060]ＱｏＳプロファイルは、１つまたは複数のＱｏＳパラメータを含み得る。例えば、ＱｏＳプロファイルは、データ無線ベアラの割振りおよび保持の優先レベルを示し得る割振りおよび保持優先度（ＡＲＰ）と、特定の５Ｇ ＱｏＳ特性に関連する５Ｇ ＱｏＳ識別子（５ＱＩ）とを含み得る。５Ｇ ＱｏＳ特性の例には、リソースタイプ（例えば、保証ビットレート（ＧＢＲ）、遅延クリティカルＧＢＲ、または非ＧＢＲ）、優先レベル、パケット遅延バジェット、パケット誤り率、平均化ウィンドウ、および最小データバーストボリュームが含まれ得る。ＧＢＲ ＱｏＳフローの場合、ＱｏＳプロファイルは、アップリンクとダウンリンクの両方の保証フロービットレート（ＧＦＢＲ）、アップリンクとダウンリンクの両方の最大フロービットレート（ＭＦＢＲ）、およびアップリンクとダウンリンクの両方の最大パケット損失レートをさらに指定し得る。非ＧＢＲ ＱｏＳフローの場合、ＱｏＳプロファイルは、ＲＱＡ（reflective QoS attribute）を含み得る。ＲＱＡは、含まれるとき、このＱｏＳフロー上で搬送されるいくつかの（必ずしもすべてではない）トラフィックが、ＮＡＳレイヤにおいてＲＱｏＳ（reflective QoS）の影響下にあることを示す。標準化または事前構成された５Ｇ ＱｏＳ特性は、５ＱＩ値から導出され、明示的にはシグナリングされない。シグナリングされるＱｏＳ特性は、ＱｏＳプロファイルの一部として含まれる。
【００４９】
[0061]加えて、アグリゲート最大ビットレートは、各ＰＤＵセッション４１２（Ｓｅｓｓｉｏｎ−ＡＭＢＲ）におよび各ＵＥ４０６（ＵＥ−ＡＭＢＲ）に関連付けられる。Ｓｅｓｓｉｏｎ−ＡＭＢＲは、特定のＰＤＵセッション４１２のすべての非ＧＢＲ ＱｏＳフローにわたって提供されることが予想され得る総ビットレートを制限する。ＵＥ−ＡＭＢＲは、ＵＥのすべての非ＧＢＲ ＱｏＳフローにわたって提供されると予想され得る総ビットレートを制限する。
【００５０】
[0062]ＮＢ４０８は、１つのＰＤＵセッション４１２につき１つまたは複数のデータ無線ベアラ（ＤＲＢ）４１４ａおよび４１４ｂを確立する。ＮＢ４０８はさらに、異なるＰＤＵセッション４１２に属するパケットを異なるＤＲＢにマッピングする。ここで、ＮＢ４０８は、各ＰＤＵセッション４１２に対して少なくとも１つのデフォルトＤＲＢ（例えば、ＤＲＢ４１４ａ）を確立する。アクセス層（ＡＳ）レベルでは、ＤＲＢは、無線インターフェース（Ｕｕ）上のパケット処理を定義する。ＤＲＢは、同じパケット転送処理でパケットを供給する。別個のＤＲＢが、異なるパケット転送処理を必要とするＱｏＳフローのために確立され得るか、または同じＰＤＵセッションに属するいくつかのＱｏＳフローが、同じＤＲＢにおいて多重化され得る。各ＰＤＵセッション４１２内で、ＮＢ４０８は、複数のＱｏＳフローをＤＲＢにどのようにマッピングするかを決定する。例えば、ＮＢ４０８は、ＧＢＲフローおよび非ＧＢＲフロー、または１つより多くのＧＢＲフローを同じＤＲＢにマッピングし得る。ＰＤＵセッションを確立する間に構成された（１つまたは複数の）ＱｏＳフローのためのＮＢ４０８とＵＥ４０６との間の（１つまたは複数の）非デフォルトＤＲＢ（例えば、ＤＲＢ４１４ｂ）の確立のタイミングは、ＰＤＵセッションが確立される時間とは異なり得る。
【００５１】
[0063]ＮＧ−ＲＡＮ４０２および５ＧＣ４０４は、パケットを適切なＱｏＳフロー４１８ａ〜４１８ｃならびにＤＲＢ４１４ａおよび４１４ｂにマッピングすることによって、サービス品質（例えば、信頼性およびターゲット遅延）を確実にする。ＮＡＳレイヤは、アップリンク（ＵＬ）およびダウンリンク（ＤＬ）パケットをＱｏＳフロー４１８ａ〜４１８ｃに関連付けるために、ＵＥ４０６と５ＧＣ４０４の両方においてパケットフィルタリングを実行する。ＵＥ４０６とＮＢ４０８との間の機能レイヤであるＡＳレイヤは、ＵＬおよびＤＬ ＱｏＳフロー４１８ａ〜４１８ｃをＤＲＢ４１４ａおよび４１４ｂに関連付けるために、ＵＥ４０６とＮＢ４０８においてマッピング規則をインプリメントする。それゆえ、（ＮＡＳにおいて）ＩＰフローからＱｏＳフローへ、そして（ＡＳにおいて）ＱｏＳフローからＤＲＢへの二段階マッピングが存在する。図４に示される例では、ＱｏＳフロー４１８ａおよび４１８ｂは、ＤＲＢ４１４ａにマッピングされ、ＱｏＳフロー４１８ｃは、ＤＲＢ４１４ｂにマッピングされる。
【００５２】
[0064]各ＱｏＳフロー４１８ａ〜４１８ｃは、ＮＢ４０８とＵＰＦ４１０との間のインターフェース（ＮＧ−Ｕ）上に提供される次世代トンネル（ＮＧ−Ｕトンネル）４１６を通じてカプセル化ヘッダ中で搬送されるＱｏＳフローＩＤ（ＱＦＩ）によってＰＤＵセッション４１２内で識別される。ＮＢ４０８によるＱｏＳフローからＤＲＢへのマッピングは、ＱＦＩおよび関連するＱｏＳプロファイル（すなわち、ＱｏＳパラメータおよびＱｏＳ特性）に基づく。例えば、アップリンクでは、ＮＢ４０８は、リフレクティブマッピング（reflective mapping）または明示的構成（explicit configuration）を使用して、ＤＲＢ４１４ａおよび４１４ｂへのＱｏＳフロー４１８ａ〜４１８ｃのマッピングを制御し得る。リフレクティブマッピングでは、各ＤＲＢ４１４ａおよび４１４ｂについて、ＵＥ４０６は、ダウンリンクパケットの（１つまたは複数の）ＱＦＩを監視し、アップリンクにおいて同じマッピングを適用する。すなわち、ＤＲＢ（例えば、ＤＲＢ４１４ａ）について、ＵＥ４０６は、そのＤＲＢ４１４ａのためのダウンリンクパケットにおいて観測されたＰＤＵセッション４１２および（１つまたは複数の）ＱＦＩに対応する（１つまたは複数の）ＱｏＳフロー４１８ａおよび４１８ｂに属するアップリンクパケットをマッピングする。このリフレクティブマッピングを可能にするために、ＮＢ４０８は、無線インターフェース（Ｕｕ）上のダウンリンクパケットをＱＦＩでマーキングする。明示的構成では、ＮＢ４０８は、ＲＲＣによって、アップリンク「ＱｏＳフロー対ＤＲＢマッピング」を構成し得る。ＵＥ４０６は、マッピング規則の最新の更新を、その更新が反射マッピングを介して実行されるか明示的構成を介して実行されるかにかかわらず、適用し得る。
【００５３】
[0065]ダウンリンクでは、ＱＦＩは、ＲＱｏＳのために無線インターフェース（Ｕｕ）上でＮＢ４０８によってシグナリングされ、（ＲＱＡによって示されるように）ＮＢ４０８およびＮＡＳがどちらも、ＤＲＢ中で搬送される（１つまたは複数の）ＱｏＳフローに対してリフレクティブマッピングを使用することを意図しない場合、Ｕｕ上でそのＤＲＢのためのＱＦＩはシグナリングされない。しかしながら、ＮＢ４０８は、依然としてＵｕ上でＱＦＩをシグナリングするようにＵＥ４０６を構成することができる。上で示したように、各ＰＤＵセッション４１２について、デフォルトＤＲＢ（例えば、ＤＲＢ４１４ａ）が構成される。着信ＵＬパケットが、ＲＲＣ構成された「ＱｏＳフローＩＤ対ＤＲＢマッピング」にも、反射構成された「ＱｏＳフローＩＤ対ＤＲＢマッピング」にも合致しない場合、ＵＥ４０６は、ＵＬパケットをＰＤＵセッション４１２のデフォルトＤＲＢ４１４ａにマッピングし得る。
【００５４】
[0066]図５は、第１のデータ無線ベアラ（ＤＲＢ）から第２のＤＲＢへのＱｏＳフローの例示的な再マッピングを例示する図である。図５は、ＱｏＳ執行（QoS enforcement）の一部として単一のＰＤＵセッションのための５Ｇアップリンクマッピング関係５００を示す、ＵＥの観点からの例を提供する。図５には単一のＰＤＵセッションが例示されているが、ＵＥが複数のＰＤＵセッションを有し得ることは認識されるべきである。ＵＥの各ＰＤＵセッションは、複数のＤＲＢを有し得、各ＤＲＢは、複数のＱｏＳフローを有し得（例えば、ここで、各ＱｏＳフローは、ＱＦＩによって識別される）、各ＱＦＩは、複数のＳＤＦを包含し得る。
【００５５】
[0067]図５は、ＵＥプロトコルスタックと、ＰＤＵセッションに関連するサービスデータフロー（ＳＤＦ）５１４ａ〜５１４ｅからのアップリンクパケットの処理とをさらに例示する。理解を容易にするために、サービスデータフロー（ＳＤＦ）は、概念的に、ワイヤレス通信デバイス（例えば、ＵＥ）上のアプリケーションの１つのセットからのデータ／パケット／フレームとみなされ得る。
【００５６】
[0068]図５に示される例では、アプリケーションレイヤ５０２、ＮＡＳレイヤ５０４、ＳＤＡＰレイヤ５０６、ＰＤＣＰレイヤ５０８ａおよび５０８ｂ、ＲＬＣレイヤ５１０ａおよび５１０ｂ、ならびにＭＡＣおよびＰＨＹレイヤ５１２がプロトコルスタックにおいて例示される。ＮＡＳレイヤ５０４およびＳＤＡＰレイヤ５０６は、例えば、図３に示されるＮＡＳレイヤ３２０およびＳＤＡＰレイヤ３１６に対応し得る。加えて、ＰＤＣＰレイヤ５０８ａおよび５０８ｂは、ＰＤＣＰレイヤ３１４に対応し得、ＲＬＣレイヤ５１０ａおよび５１０ｂは、図３に示されるＲＬＣレイヤ３１２に対応し得る。さらに、ＭＡＣおよびＰＨＹレイヤ５０８は、例えば、図３に示されるＭＡＣレイヤ３１０および物理レイヤ３０６に対応し得る。ＰＤＣＰレイヤ５０８ａおよび５０８ｂは各々、それぞれのＤＲＢ５２０ａおよび５２０ｂ内にインプリメントされるそれぞれのＰＤＣＰエンティティに対応し、ＲＬＣレイヤ５１０ａおよび５１０ｂは各々、それぞれのＤＲＢ５２０ａおよび５２０ｂ内にインプリメントされるそれぞれのＲＬＣエンティティに対応する。
【００５７】
[0069]ＰＤＵセッションの確立に伴い、ＵＥは、（例えば、ＮＢからの制御メッセージを使用して）第１のＱｏＳフロー（ＱＦＩ＝１）５１６ａをＤＲＢ１ ５２０ａにマッピングするように構成され得る。ＵＥは、第２のＱｏＳフロー（ＱＦＩ＝２）５１６ｂをＤＲＢ２ ５２０ｂにマッピングし、第３のＱｏＳフロー（ＱＦＩ＝３）をＤＲＢ２ ５２０ｂにマッピングするようにさらに構成され得る。次いで、ＮＡＳレイヤ５０４は、ＵＬパケットをＱｏＳフローに関連付けるためにパケットフィルタリングを実行し得る。例えば、ＮＡＳレイヤ５０４は、ＳＤＦ＃１ ５１４ａからのパケットを第１のＱｏＳフロー５１６ａに関連付け、ＳＤＦ＃２ ５１４ｂおよびＳＤＦ＃３ ５１４ｃからのパケットを第２のＱｏＳフロー５１６ｂに関連付け、ＳＤＦ＃４ ５１４ｄおよびＳＤＦ＃５ ５１４ｅからのパケットを第３のＱｏＳフロー５１６ｃに関連付け得る。
【００５８】
[0070]図５に示される例では、ＳＤＦ＃１ ５１４ａは、４つのＵＬパケット（Ｐｋｔ１ ５１８ａ、Ｐｋｔ２ ５１８ｂ、Ｐｋｔ３ ５１８ｃ、およびＰｋｔ４ ５１８ｄ）を生成する。第１のＱｏＳフロー５１６ａに関連するＵＬパケット１および２（Ｐｋｔ１ ５１８ａおよびＰｋｔ２ ５１８ｂ）がＳＤＡＰレイヤ５０６に到着すると、ＳＤＡＰレイヤ５０６は、上で説明されたＵＥのネットワーク構成にしたがって、Ｐｋｔ１ ５１８ａおよびＰｋｔ２ ５１８ｂをＤＲＢ１ ５２０ａにマッピングする。ＳＤＡＰがＵＬパケット３および４（Ｐｋｔ３ ５１８ｃおよびＰｋｔ４ ５１８ｄ）を受信する前に、ネットワーク（例えば、明示的またはリフレクティブマッピングを介してＮＢ）は、第１のＱｏＳフロー５１６ａをＤＲＢ１ ５２０ａにマッピングするようにＵＥを再構成する。次いで、第１のＱｏＳフロー５１６ａのＵＬパケット３および４（Ｐｋｔ３ ５１８ｃおよびＰｋｔ４ ５１８ｄ）がＳＤＡＰレイヤ５０６に到着すると、ＳＤＡＰレイヤ５０６は、ＵＥの新しいネットワーク構成にしたがって、Ｐｋｔ３ ５１８ｃおよびＰｋｔ４ ５１８ｄをＤＲＢ２ ５２０ｂにマッピングする。
【００５９】
[0071]いくつかの例では、各ＤＲＢのＰＤＣＰエンティティ（ここで、エンティティとは、「プロトコルレイヤ」のインスタンスである）が各パケットにシーケンス番号をタグ付けするため、各ＤＲＢ５２０ａおよび５２０ｂは、ＤＲＢ内のパケットがそれらの元の順序で受信機（例えば、ＮＢ）によって受信されることを保証することが可能であり得る。各ＤＲＢのＰＤＣＰエンティティは、他のＤＲＢのＰＤＣＰエンティティから独立して、それ自体のＰＤＣＰシーケンス番号（ＳＮ）を維持する。例えば、ＤＲＢ１ ５２０ａのＰＤＣＰエンティティ５０８ａは、Ｐｋｔ１ ５１８ａにＰＤＣＰシーケンス番号ＳＮ＝９０１をタグ付けし、Ｐｋｔ２ ５１８ｂにＰＤＣＰシーケンス番号ＳＮ＝９０２をタグ付けし得る。加えて、ＤＲＢ２ ５２０ｂのＰＤＣＰエンティティ５０８ｂは、Ｐｋｔ３ ５１８ｃにＰＤＣＰシーケンス番号ＳＮ＝１をタグ付けし、Ｐｋｔ４ ５１８ｄにＰＤＣＰシーケンス番号ＳＮ＝２をタグ付けし得る。しかしながら、ＭＡＣおよびＰＨＹレイヤ５１２は、受信機側で正しい順序での配信を保証することができない可能性がある。例えば、Ｐｋｔ３ ５１８ｃおよびＰｋｔ４  ５１８ｄは、Ｐｋｔ１ ５１８ａおよびＰｋｔ２ ５１８ｂの前に受信機によって受信され得る。
【００６０】
[0072]したがって、受信機が４つのパケット５１８ａ〜５１８ｄを受信するとき、受信機は、（例えば、ＱＦＩにより）パケット５１８ａ〜５１８ｄが同じＱｏＳフローに属していることに気付く。しかしながら、受信機は、異なるＰＤＣＰシーケンス番号が第２のパケット（Ｐｋｔ２ ５１８ｂ）と第３のパケット（Ｐｋｔ３ ５１８ｃ）との間でＤＲＢ１ ５２０ａからＤＲＢ２ ５２０ｂへの再マッピングから生じた結果として、ＵＥのアプリケーションレイヤ５０２においてパケット５１８ａ〜５１８ｄの元の順序を復元することができない可能性がある。特に、受信機は、ＤＲＢ１ ５２０ａからのパケットがいつ終了し、ＤＲＢ２ ５２０ｂからのパケットがいつ開始するかを判別することができない可能性がある。例えば、下位レイヤ（例えば、ＲＬＣレイヤ、ＭＡＣレイヤ）再送に起因して、受信機がＤＲＢ１ ５２０ａとＤＲＢ２ ５２０ｂの両方からパケットを受信し得る中間の時間期間があり得る。
【００６１】
[0073]加えて、ＳＤＡＰレイヤ５０６は、ＰＤＣＰエンティティ５０８ａおよび５０８ｂに提供されるＳＤＡＰ ＰＤＵにシーケンス番号を含めず、結果として、受信機は、あるＤＲＢから別のＤＲＢへのＱｏＳフローの再マッピングに起因して、受信機がＰＤＣＰ ＰＤＵの並べ替えを実行することができない状況において、ＳＤＡＰ ＰＤＵの並べ替えを実行することができない。
【００６２】
[0074]したがって、本開示の様々な態様は、受信機が送信機において生成されたパケットの元の順序を復元することができることを確実にするためのメカニズムを提供する。いくつかの例では、ＳＤＡＰレイヤ５０６は、再マッピング構成変更（例えば、ＤＲＢ２ ５２０ａからＤＲＢ１ ５２０ｂへのＱｏＳフロー５１６ａの再マッピング）の検出に伴い、ＱｏＳフロー（例えば、ＱｏＳフロー５１６ａ）に関連する最終ＳＤＡＰデータＰＤＵが古いＤＲＢ（例えば、ＤＲＢ１ ５２０ａ）上で送信されたというインジケーションを包含する制御情報を含む、スタンドアロンＳＤＡＰ ＰＤＵ５２２を生成し得る。そのような検出は、例えば、無線リソース制御（ＲＲＣ）メッセージまたはリフレクティブマッピングに基づき得る。
【００６３】
[0075]したがって、ＳＤＡＰ ＰＤＵ５２２は、ＳＤＡＰレイヤ５０６において「エンドマーカ」ＳＤＡＰ ＰＤＵとして機能するＳＤＡＰ制御ＰＤＵとみなされ得る。ＳＤＡＰレイヤ５０６は、ＱｏＳフロー５１６ａのための最後／最終ＳＤＡＰデータＰＤＵ（例えば、Ｐｋｔ２ ５１８ｂ）をＤＲＢ１ ５２０ａに送信した後に、ＳＤＡＰ制御ＰＤＵ５２２を生成し得る。ＳＤＡＰ制御ＰＤＵ５２２はまた、エンドマーカＳＤＡＰ制御ＰＤＵ５２２の順序を順守するために、古いＤＲＢ（例えば、ＤＲＢ１ ５２０ａ）に提供され、ＰＤＣＰエンティティ５０８ａによって処理され得る。上の例を使用すると、ＳＤＡＰ制御ＰＤＵ５２２は、ＰＤＣＰエンティティ５０８ａによって次のＰＤＣＰシーケンス番号（例えば、ＳＮ＝９０３）が割り当てられ得る。ゆえに、パケットの順序がＰＤＣＰエンティティ５０８ａによって順守され得、それによって、受信機がＳＤＡＰ制御ＰＤＵ５２２を受信したときに、受信機は、ＤＲＢ１ ５２０ａ上の第１のＱｏＳフロー５１６ａのためのパケットのすべてが受信および処理されたことを認識することができる。このように、エンドマーカＳＤＡＰ ＰＤＵ５２２は、エンドマーカＳＤＡＰ ＰＤＵ５２２が送信されるＤＲＢ（例えば、ＤＲＢ１ ５２０ａ）へのＱＦＩによって示されるＱｏＳフロー５１６ａのＳＤＡＰセッションデータユニット（ＳＤＵ）のマッピングをＳＤＡＰエンティティが停止すべきであることを示すために、受信機（例えば、ＵＥ）におけるＳＤＡＰエンティティによって利用され得る。
【００６４】
[0076]上で説明したように、ＰＤＣＰエンティティ５０８ａは、ＳＤＡＰ制御ＰＤＵをＳＤＡＰデータＰＤＵと区別することができず、したがって両方のタイプのＳＤＡＰ ＰＤＵがＰＤＣＰエンティティ５０８ａによって同じ方法で扱われ得、これにより、ＰＤＣＰエンティティ５０８ａが、ＳＤＡＰ制御ＰＤＵを処理し、すべてのＳＤＡＰ ＰＤＵの順序を順守することができることは留意されるべきである。１つのＤＲＢ内のすべてのパケットは、受信機側のＰＤＣＰレイヤで順序正しく受信されることができるため、受信機がＳＤＡＰ制御ＰＤＵを受信すると、受信機は、古いＤＲＢ（ＤＲＢ１ ５２０ａ）上のすべてのパケットが受信されたと決定し得る。したがって、ＳＤＡＰ制御ＰＤＵを受信すると、受信機は、新しいＤＲＢ（例えば、ＤＲＢ２ ５２０ｂ）上で受信された再マッピングされたパケット（例えば、Ｐｋｔ３ ５１８ｃおよびＰｋｔ４ ５１８ｄ）を上位レイヤに転送し得る。
【００６５】
[0077]いくつかの例では、ＳＤＡＰ制御ＰＤＵは、再マッピングされたＱｏＳフローのＱＦＩを含み得る。例えば、ＳＤＡＰレイヤ５０６は、ＳＤＡＰ制御ＰＤＵの「ＱＦＩ」を、再マッピングされたＱｏＳフローのＱＦＩ（例えば、ＱＦＩ＝１）に設定し得る。加えて、ＳＤＡＰ制御ＰＤＵは、（ＳＤＡＰレイヤによって生成された制御メッセージを含む）ＳＤＡＰ制御ＰＤＵを（例えば、アプリケーションデータを含む）ＳＤＡＰデータＰＤＵと区別するために制御識別子を含み得る。一例では、制御識別子の値は、ＳＤＡＰ制御ＰＤＵおよびＳＤＡＰデータＰＤＵに対して別々に設定され得る（すなわち、ＳＤＡＰレイヤは、ＰＤＵが「ＳＤＡＰ制御ＰＤＵ」であることを示すために、ＳＤＰ制御ＰＤＵの識別子を設定する）。例えば、制御識別子は、１ビットの「データ／制御（Ｄ／Ｃ）」識別子を含み得る（例えば、Ｄ／Ｃパラメータ＝０は、ＳＤＡＰ制御ＰＤＵを示し、Ｄ／Ｃパラメータ＝１は、ＳＤＡＰデータＰＤＵを示す）。
【００６６】
[0078]他の例では、図５に示されるように、再マッピング構成が送信機（例えば、ＵＥ）によって実行されるとき、送信機は、例えば、ＳＤＡＰレイヤ５０６に関連する送信バッファで待機している古いＤＲＢ（例えば、ＤＲＢ１ ５２０ａ）に属する未送信パケット（例えば、ＳＤＡＰレイヤ５０６によって未だ処理されていないパケット）があるかを最初に決定し得る。古いＤＲＢ（例えば、ＤＲＢ１ ５２０ａ）に属する少なくとも１つの未送信パケットがある場合、ＳＤＡＰレイヤ５０６は、ＤＲＢ１ ５２０ａに属する最後の未送信パケットにエンドマーカパラメータを設定し得る。そうではなく、未送信パケットが残っていない場合、ＳＤＡＰレイヤ５０６は、エンドマーカＳＤＡＰ制御ＰＤＵ５２２を生成し得る。
【００６７】
[0079]この例では、ＳＤＡＰレイヤ５０６は、古いＤＲＢ１ ５２０ａにマッピングされるＱＦＩ（例えば、第１のＱｏＳフロー５１６ａ）の最後のデータパケットのＳＤＡＰヘッダにエンドマーカパラメータを設定し得る。例えば、再マッピング構成変更（例えば、ＤＲＢ１ ５２０ａからＤＲＢ２ ５２０ｂへのＱｏＳフロー５１６ａの再マッピング）の検出に伴い、ＳＤＦ＃２が、Ｐｋｔ１ ５１８ａおよびＰｋｔ２ ５１８ｂは生成したが、Ｐｋｔ３ ５１８ｃまたはＰｋｔ４ ５１８ｄは未だ生成していないと仮定すると、ＳＤＡＰレイヤ５０６は、Ｐｋｔ２ ５１８ｂを包含するＳＤＡＰデータＰＤＵのＳＤＡＰヘッダにエンドマーカパラメータを設定し得る。いくつかの例では、エンドマーカパラメータは、１ビットのエンドマーカパラメータを含み得る（例えば、エンドマーカパラメータ＝０は、ＳＤＡＰ ＰＤＵがＤＲＢのための最後／最終ＳＤＡＰデータＰＤＵではないことを示し、エンドマーカパラメータ＝１は、ＳＤＡＰ ＰＤＵがＤＲＢのための最後／最終ＳＤＡＰデータＰＤＵであることを示す）。
【００６８】
[0080]エンドマーカパラメータに基づいて、受信機側ＳＤＡＰエンティティは、古いＤＲＢ１パケットが実際に受信されるのが新しいＤＲＢパケットの前であるか後であるかにかかわらず、古いＤＲＢ１ ５２０ａからの再マッピングされたＱＦＩのすべてのパケット（例えば、Ｐｋｔ１ ５１８ａおよびＰｋｔ２ ５１８ｂ）を、新しいＤＲＢ２ ５２０ｂからの再マッピングされたＱＦＩの任意のパケット（例えば、Ｐｋｔ３ ５１８ｃおよびＰｋｔ４ ５１８ｄ）より前に受信されたものとみなし得る。しかしながら、受信機側ＰＤＣＰエンティティが、古いＤＲＢ１からの再マッピングされたＱＦＩについてＳＤＡＰヘッダにエンドマーカパラメータを有するパケット（すなわち、Ｐｋｔ２ ５１８ｂ）を受信せず、それを受信機側ＳＤＡＰレイヤに配信しない場合、受信機側ＳＤＡＰレイヤは、新しいＤＲＢ２ ５２０ｂからの再マッピングされたＱＦＩの受信パケットを上位レイヤに配信することができない（例１では、これらのパケットは、パケット＃３および＃４である）。
【００６９】
[0081]この例では、インプリメンテーションの複雑さは、再マッピングの検出に伴い、ＳＤＡＰ制御ＰＤＵが生成される例より高い。しかしながら、バッファ内で待機している未送信パケットがないときにＳＤＡＰレイヤがＳＤＡＰ制御ＰＤＵを生成することを可能にすることによって、送信機は、エンドマーカパラメータを含めるべき次のＳＤＡＰデータＰＤＵを待つ代わりに、直ちに再マッピングを実行することができる。さらに、古いＤＲＢ（例えば、ＤＲＢ１ ５２０ａ）が他のフローに必要とされない場合、未送信パケットがないときにＳＤＡＰ制御ＰＤＵを生成することによって、古いＤＲＢは、エンドマーカパラメータを含めるべき次のＳＤＡＰデータＰＤＵをＳＤＡＰレイヤが待つ必要があった場合より早く解放され得る。
【００７０】
[0082]他の例では、ネットワークがＤＲＢ１ ５２０ａからＤＲＢ１ ５２０ｂへのＱｏＳフロー（例えば、ＱＦＩ＝１ ５１４ａ）の再マッピングを構成するときに、古いＤＲＢ２ ５２０ａ上で利用可能な未処理のパケットがこれ以上ない場合（例えば、すべての既存のパケットが、無線経由で送られておらず、ＰＤＣＰレイヤ５０８ａのような下位レイヤによって依然としてバッファリングされている可能性があるとしても、それらがＳＤＡＰレイヤ５０６によってすでに処理されている場合）、再マッピングされたＱＦＩ（例えば、ＱＦＩ＝１ ５１６ａ）の新しい着信パケットがＳＤＡＰレイヤ５０６に到着すると、ＳＤＡＰレイヤ５０６は、再マッピングされたＱＦＩ ５１６ａからの最初の新しい着信パケットにエンドマーカパラメータを設定し得る。次いで、ＳＤＡＰレイヤ５０６は、古いＤＲＢ（例えば、ＤＲＢ１ ５２０ａ）上でエンドマーカパラメータを包含するパケットを送信し得る。次いで、ＳＤＡＰレイヤ５０６は、エンドマーカを設定することなく、新しいＤＲＢ（例えば、ＤＲＢ２ ５２０ｂ）上で、再マッピングされたＱＦＩの後続の着信パケットを送り得る。
【００７１】
[0083]ＳＤＡＰ制御ＰＤＵ６００およびＳＤＡＰデータＰＤＵ６１０の例が図６に例示される。例示されるように、ＳＤＡＰ制御ＰＤＵ６００は、ＳＤＡＰレイヤにおいて全長８ビットを有するように構成される。ＳＤＡＰ制御ＰＤＵ６００は、ＳＤＡＰ制御ＰＤＵ６００がＳＤＡＰデータＰＤＵであるかＳＤＡＰ制御ＰＤＵであるかを示すデータ／制御（Ｄ／Ｃ）ビット６０２を含む。例えば、Ｄ／Ｃビット６０２は、ＳＤＡＰ制御ＰＤＵ６００がＳＤＡＰ制御ＰＤＵであることを示すために０に設定され得る。ＳＤＡＰ制御ＰＤＵ６００は、予備フィールド６０４をさらに含み得、ＳＤＡＰ制御ＰＤＵ６００内の制御情報（例えば、Ｄ／Ｃビット６０２）に適用可能な特定のＱｏＳフローを識別するＱＦＩパラメータ６０６をさらに含み得る。例えば、ＱＦＩパラメータは、あるＤＲＢから別のＤＲＢに再マッピングされたＱｏＳフローに対応する値に設定され得る。
【００７２】
[0084]ＳＤＡＰデータＰＤＵ６１０は、全長８ビットを有する第１のオクテット（オクテット１）内にＳＤＡＰヘッダ６１２を含む。ＳＤＡＰヘッダ６１２は、例えば、Ｄ／Ｃビット６１６、予備フィールド６１８、およびＱＦＩパラメータ６２０を含み得る。Ｄ／Ｃビット６１６は、ＳＤＡＰ制御ＰＤＵ６００がＳＤＡＰデータＰＤＵであるかＳＤＡＰ制御ＰＤＵであるかを示す。例えば、Ｄ／Ｃビットは、ＳＤＡＰデータＰＤＵ６１０がＳＤＡＰデータＰＤＵであることを示すために１に設定され得る。ＱＦＩパラメータ６２０は、ＳＤＡＰデータＰＤＵ６１０に関連する特定のＱｏＳフローを識別する。ＳＤＡＰデータＰＤＵ６１０は、例示されるように、オクテット２から開始し得、可変長を有することができるデータ６２２（例えば、アプリケーションデータ）を包含する本体６１４をさらに含み得る。
【００７３】
[0085]図７は、ＳＤＡＰデータＰＤＵ７００の別の例を例示する。例示されるように、ＳＤＡＰデータＰＤＵ７００は、全長８ビットを有する第１のオクテット（オクテット１）内にＳＤＡＰヘッダ７０２を含む。ＳＤＡＰヘッダ７０２は、例えば、エンドマーカパラメータ７０６、予備フィールド７０８、およびＱＦＩパラメータ７１０を含み得る。エンドマーカパラメータ７０６は、ＳＤＡＰデータＰＤＵがＤＲＢのための最後／最終ＳＤＡＰデータＰＤＵであるかどうかを示す。例えば、エンドマーカパラメータ７０６は、単一のエンドマーカビットを含み得、ここで、エンドマーカパラメータ＝０は、ＳＤＡＰデータＰＤＵがＤＲＢのための最後／最終ＳＤＡＰデータＰＤＵではないことを示し、エンドマーカパラメータ＝１は、ＳＤＡＰデータＰＤＵがＤＲＢのための最後／最終ＳＤＡＰデータＰＤＵであることを示す。ＱＦＩパラメータ７１０は、ＳＤＡＰデータＰＤＵ７００に関連する特定のＱｏＳフローを識別する。ＳＤＡＰデータＰＤＵ７００は、例示されるように、オクテット２から開始し得、可変長を有することができるデータ７１２（例えば、アプリケーションデータ）を包含する本体７０４をさらに含み得る。
【００７４】
[0086]図８は、処理システム８１４を用いる被スケジューリングエンティティ８００のためのハードウェアインプリメンテーションの例を例示するブロック図である。例えば、被スケジューリングエンティティ８００は、本明細書で開示された図１、図２、および／または４のうちのいずれか１つまたは複数に例示されたユーザ機器（ＵＥ）であり得る。
【００７５】
[0087]被スケジューリングエンティティ８００は、１つまたは複数のプロセッサ８０４を含む処理システム８１４でインプリメントされ得る。プロセッサ８０４の例には、マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、ステートマシン、ゲートロジック、ディスクリートハードウェア回路、および本開示全体を通して説明される様々な機能性を実行するように構成された他の適切なハードウェアが含まれる。様々な例では、被スケジューリングエンティティ８００は、本明細書で説明される機能のうちのいずれか１つまたは複数を実行するように構成され得る。すなわち、プロセッサ８０４は、被スケジューリングエンティティ８００において利用される場合、これらのプロセスおよび以下で説明するプロセスのうちのいずれか１つまたは複数をインプリメントするために使用され得る。プロセッサ８０４は、いくつかの事例では、ベースバンドまたはモデムチップを介してインプリメントされ得、他のインプリメンテーションでは、プロセッサ８０４自体が、ベースバンドまたはモデムチップとは別個で異なるいくつかのデバイスを備え得る（例えば、そのようなシナリオでは、それは、本明細書で説明される実施形態を達成するために協力して機能し得る）。また、前述したように、ＲＦチェーン、電力増幅器、変調器、バッファ、インターリーバ、加算器（adder）／加算器（summer）、等を含む、ベースバンドモデムプロセッサの外部の様々なハードウェア配列および構成要素がインプリメンテーションにおいて使用され得る。
【００７６】
[0088]この例では、処理システム８１４は、一般にバス８０２で表されるバスアーキテクチャでインプリメントされ得る。バス８０２は、処理システム８１４の特定の用途と設計制約全体とに応じて、任意の数の相互接続バスおよびブリッジを含み得る。バス８０２は、１つまたは複数のプロセッサ（一般にプロセッサ８０４で表される）、メモリ８０５、およびコンピュータ読取可能な媒体（一般にコンピュータ読取可能な媒体８０６で表される）を含む様々な回路を互いに通信可能に結合する。バス８０２はまた、タイミングソース、周辺機器、電圧レギュレータ、および電力管理回路のような様々な他の回路をリンクすることができるが、これらは、当技術分野では周知であるためこれ以上説明されないであろう。バスインターフェース８０８は、バス８０２とトランシーバ８１０との間のインターフェースを提供する。トランシーバ８１０は、送信媒体上で様々な他の装置と通信するための通信インターフェースまたは手段を提供する。装置の性質に応じて、ユーザインターフェース８１２（例えば、キーパッド、ディスプレイ、スピーカ、マイクロフォン、ジョイスティック）もオプションで提供され得る。
【００７７】
[0089]プロセッサ８０４は、バス８０２の管理と、コンピュータ読取可能な媒体８０６に記憶されたソフトウェアの実行を含む汎用処理とを担う。ソフトウェアは、プロセッサ８０４によって実行されると、処理システム８１４に、任意の特定の装置について以下で説明される様々な機能を実行させる。コンピュータ読取可能な媒体８０６およびメモリ８０５はまた、ソフトウェアを実行するときにプロセッサ８０４によって操作されるデータを記憶するために使用され得る。
【００７８】
[0090]処理システム内の１つまたは複数のプロセッサ８０４は、ソフトウェアを実行し得る。ソフトウェアは、ソフトウェア、ファームウェア、ミドルウェア、マイクロコード、ハードウェア記述言語で呼ばれても、それ以外の名称で呼ばれても、命令、命令のセット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数、等を意味すると広く解釈されるものとする。ソフトウェアは、コンピュータ読取可能な媒体８０６上に存在し得る。
【００７９】
[0091]コンピュータ読取可能な媒体８０６は、非一時的コンピュータ読取可能な媒体であり得る。非一時的コンピュータ読取可能な媒体には、例として、磁気記憶デバイス（例えば、ハードディスク、フロッピー（登録商標）ディスク、磁気ストリップ）、光学ディスク（例えば、コンパクトディスク（ＣＤ）またはデジタル多用途ディスク（ＤＶＤ））、スマートカード、フラッシュメモリデバイス（例えば、カード、スティック、またはキードライブ）、ランダムアクセスメモリ（ＲＡＭ）、読取専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ（登録商標））、レジスタ、リムーバブルディスク、およびコンピュータによってアクセスおよび読取可能なソフトウェアおよび／または命令を記憶するための任意の他の適切な媒体が含まれる。コンピュータ読取可能な媒体にはまた、例として、搬送波、伝送回線、ならびにコンピュータによってアクセスおよび読取可能な命令および／またはソフトウェアを送信するための任意の他の適切な媒体が含まれ得る。コンピュータ読取可能な媒体８０６は、処理システム８１４内に存在するか、処理システム８１４の外部に存在するか、または処理システム８１４を含む複数のエンティティにわたって分散され得る。コンピュータ読取可能な媒体８０６は、コンピュータプログラム製品において具現化され得る。いくつかの例では、コンピュータ読取可能な媒体８０６は、メモリ８０５の一部であり得る。例として、コンピュータプログラム製品は、パッケージング材料のコンピュータ読取可能な媒体を含み得る。当業者であれば、特定の用途とシステム全体に課された設計制約全体とに応じて、本開示全体を通して提示されている説明された機能性をインプリメントするのに最良の方法を認識するであろう。
【００８０】
[0092]本開示のいくつかの態様では、プロセッサ８０４は、様々な機能のために構成された回路を含み得る。例えば、プロセッサ８０４は、例えば、本明細書で説明されるように、サービス品質（ＱｏＳ）フロー再マッピングを容易にするためにサービスデータ適応プロトコル（ＳＤＡＰ）レイヤを利用することを含む、様々な機能のために構成されたＱｏＳマッピング回路８４１を含み得る。ＱｏＳマッピング回路８４１は、第１のデータ無線ベアラ（ＤＲＢ）から第２のＤＲＢへの第１のＱｏＳフローのマッピング再構成を検出するように構成され得る。例えば、ＱｏＳマッピング回路８４１は、基地局から送信された無線リソース制御（ＲＲＣ）メッセージを介してまたはリフレクティブマッピングを介して、マッピング再構成を検出するように構成され得、ここで、マッピング再構成は、第１のＱｏＳフローに関連するパケットが、最初に第１のＤＲＢを介して受信された後に、第２のＤＲＢを介して基地局から受信されるかどうかに基づいて検出される。
【００８１】
[0093]ＱｏＳマッピング回路８４１は、マッピング再構成に応答してＳＤＡＰ制御プロトコルデータユニット（ＰＤＵ）を生成するようにさらに構成され得、ここで、ＳＤＡＰ制御ＰＤＵは、第１のＱｏＳフローに関連する最終ＳＤＡＰデータＰＤＵが第１のＤＲＢ上で送信されたというインジケーションを提供する。いくつかの例では、ＳＤＡＰ制御ＰＤＵは、ＳＤＡＰデータＰＤＵと容易に区別可能となるように構成され得る。例えば、ＱｏＳマッピング回路８４１は、ＳＤＡＰ制御ＰＤＵとＳＤＡＰデータＰＤＵとの区別を容易にするために、ＳＤＡＰ制御ＰＤＵ内に制御識別子を含めるように構成され得る。特定のインプリメンテーションでは、ＱｏＳマッピング回路８４１は、ＳＤＡＰ制御ＰＤＵおよびＳＤＡＰデータＰＤＵの各々にデータ／制御（Ｄ／Ｃ）ビットを含めるように構成され得、ここで、Ｄ／Ｃビットは、ＳＤＡＰ制御ＰＤＵとＳＤＡＰデータＰＤＵとの区別を容易にする。
【００８２】
[0094]ＱｏＳマッピング回路８４１は、ＳＤＡＰ制御ＰＤＵ内にＱｏＳフロー識別子（ＱＦＩ）パラメータを含めるようにさらに構成され得る。ＱＦＩパラメータは、ＳＤＡＰ制御ＰＤＵに含まれる制御情報に適用可能な特定のＱｏＳフローを識別し得る。例えば、ＱｏＳマッピング回路８４１は、ＳＤＡＰ制御ＰＤＵ内のＱＦＩパラメータを第１のＱｏＳフローに対応する値に設定するように構成され得る。ＱｏＳマッピング回路８４１は、第１のＤＲＢを介して第１のＱｏＳフローに関連する最終ＳＤＡＰデータＰＤＵを送信した後に送信機側ＳＤＡＰレイヤがＳＤＡＰ制御ＰＤＵを送信するという順序を順守するようにさらに構成され得る。いくつかの例では、順序を順守することは、第１のＤＲＢを介して第１のＱｏＳフローに関連する最終ＳＤＡＰデータＰＤＵを受信した後に、受信機側ＳＤＡＰレイヤにＳＤＡＰ制御ＰＤＵを受信させることを容易にする。例えば、ＱｏＳマッピング回路８４１は、第１のＤＲＢに関連するパケットデータコンバージェンスプロトコル（ＰＤＣＰ）エンティティを利用することによってそのような順序を順守するように構成され得る。
【００８３】
[0095]ＱｏＳマッピング回路８４１は、未送信のＳＤＡＰデータＰＤＵが第１のＱｏＳフローに関連付けられているかどうかに基づいて、ＳＤＡＰ制御ＰＤＵを生成するようにさらに構成され得る。いくつかの例では、未送信のＳＤＡＰデータＰＤＵは、例えば、メモリ８０５に含まれ得る、ＳＤＡＰレイヤに関連する送信バッファ８１５内にあり得る。例えば、ＱｏＳマッピング回路８４１は、ＳＤＡＰ制御ＰＤＵを生成する代わりに、未送信のＳＤＡＰデータＰＤＵのＳＤＡＰヘッダにエンドマーカパラメータを含めるように構成され得る。エンドマーカパラメータは、未送信のＳＤＡＰデータＰＤＵが、第１のＤＲＢ上の第１のＱｏＳフローに関連する最終ＳＤＡＰデータＰＤＵであることを示し得る。
【００８４】
[0096]他の例では、ＱｏＳマッピング回路８４１は、第１のデータ無線ベアラ（ＤＲＢ）から第２のＤＲＢへの第１のサービス品質（ＱｏＳ）フローのマッピング再構成を検出し、マッピング再構成の後に上位レイヤから受信された第１のＳＤＡＰデータプロトコルデータユニット（ＰＤＵ）のヘッダにエンドマーカパラメータを設定するようにさらに構成され得る。エンドマーカパラメータは、第１のＳＤＡＰデータＰＤＵが第１のＤＲＢ上の第１のＱｏＳフローに関連する最終ＳＤＡＰデータＰＤＵであるというインジケーションを提供する。
【００８５】
[0097]プロセッサ８０４は、１つまたは複数のサブフレームまたはスロット内で受信されたダウンリンクデータ、制御情報、および他の信号を受信および処理するように構成されたＤＬ受信および処理回路８４２をさらに含み得る。例えば、ＤＬ受信および処理回路８４２は、トランシーバ８１０を介して、第１のＤＲＢから第２のＤＲＢへの第１のＱｏＳフローのマッピング再構成を示すＲＲＣメッセージを受信するように構成され得る。ＤＬ受信および処理回路８４２は、トランシーバ８１０を介して、最初に第１のＤＲＢを介して受信された後に、第２のＤＲＢを介して第１のＱｏＳフローに関連するパケットを受信するようにさらに構成され得る。ＤＬ受信および処理回路８４２は、本明細書で説明される機能のうちの１つまたは複数をインプリメントするために、コンピュータ読取可能な媒体８０６に記憶されたＤＬ受信および処理ソフトウェア８５２を実行するようにさらに構成され得る。
【００８６】
[0098]プロセッサ８０４は、１つまたは複数のサブフレームまたはスロット内でデータおよび制御情報を生成および送信するように構成されたＵＬ生成および送信回路８４３をさらに含み得る。例えば、ＵＬ生成および送信回路８４３は、第１のＤＲＢを介してＳＤＡＰ制御ＰＤＵをＱｏＳマッピング回路８４１から受信し、トランシーバ８１０を介して、スケジューリングエンティティ（例えば、基地局）にＳＤＡＰ制御ＰＤＵを送信するように構成され得る。ＵＬ生成および送信回路８４３は、ＳＤＡＰデータＰＤＵが特定のＤＲＢ上のＱｏＳフローに関連する最終ＳＤＡＰデータＰＤＵであることを示すエンドマーカパラメータを含むＳＤＡＰデータＰＤＵをＱｏＳマッピング回路８４１から受信し、トランシーバ８１０を介して、スケジューリングエンティティ（例えば、基地局）にＳＤＡＰデータＰＤＵを送信するようにさらに構成され得る。ＵＬ生成および送信回路８４３は、本明細書で説明される機能のうちの１つまたは複数をインプリメントするために、コンピュータ読取可能な媒体８０６に記憶されたＵＬ生成および送信ソフトウェア８５３を実行するようにさらに構成され得る。
【００８７】
[0099]図９は、処理システム９１４を用いる例示的なスケジューリングエンティティ９００のためのハードウェアインプリメンテーションの例を例示する概念図である。本開示の様々な態様によれば、１つのエレメント、または１つのエレメントの任意の部分、または複数のエレメントの任意の組合せは、１つまたは複数のプロセッサ９０４を含む処理システム９１４でインプリメントされ得る。例えば、スケジューリングエンティティ９００は、図１、２、および／または４のうちのいずれか１つまたは複数に例示された基地局であり得る。
【００８８】
[0100]処理システム９１４は、図９に例示される処理システム９１４と実質的に同じであり、バスインターフェース９０８と、バス９０２と、メモリ９０５と、プロセッサ９０４と、コンピュータ読取可能な媒体９０６とを含み得る。さらに、スケジューリングエンティティ９００は、図９において上で説明されたものと実質的に類似するオプションのユーザインターフェース９１２とトランシーバ９１０とを含み得る。すなわち、プロセッサ９０４は、スケジューリングエンティティ９００において利用されるとき、以下で説明されるプロセスのうちのいずれか１つまたは複数をインプリメントするために使用され得る。
【００８９】
[0101]本開示のいくつかの態様では、プロセッサ９０４は、例えば、本明細書で説明されるように、サービス品質（ＱｏＳ）フロー再マッピングを容易にするためにサービスデータ適応プロトコル（ＳＤＡＰ）レイヤを利用することを含む、様々な機能のために構成されたＱｏＳマッピング回路９４１を含み得る。いくつかの例では、ＱｏＳマッピング回路９４１は、被スケジューリングエンティティから、第１のＤＲＢを介して第１のＱｏＳフローに関連する少なくとも１つのＳＤＡＰデータＰＤＵを、および、第２のＤＲＢを介して第１のＱｏＳフローに関連する少なくとも１つのＳＤＡＰデータＰＤＵを受信するように構成され得る。いくつかの例では、ＱｏＳマッピング回路９４１は、第１のＱｏＳフローに関連する最終ＳＤＡＰデータＰＤＵが第１のＤＲＢ上で送信されたことを示す、第１のＤＲＢを介して第１のＱｏＳフローに適用可能なＳＤＡＰ制御ＰＤＵを受信することに応答して、第２のＤＲＢを介して受信された少なくとも１つのＳＤＡＰデータＰＤＵを上位レイヤに転送するようにさらに構成され得る。
【００９０】
[0102]ＱｏＳマッピング回路９４１は、ＳＤＡＰ制御ＰＤＵ内に含まれる制御識別子に基づいてＳＤＡＰ制御ＰＤＵを識別し、ＳＤＡＰデータＰＤＵのＳＤＡＰヘッダ内に含まれる制御識別子に基づいてＳＤＡＰデータＰＤＵを識別するようにさらに構成され得る。いくつかの例では、制御識別子は、ＳＤＡＰ制御ＰＤＵとＳＤＡＰデータＰＤＵとの区別を容易にする。例えば、ＱｏＳマッピング回路９４１は、ＳＤＡＰ制御ＰＤＵおよびＳＤＡＰデータＰＤＵのそれぞれにおけるＤ／Ｃビットの値を確認することによって、ＳＤＡＰ制御ＰＤＵを識別するように構成され得、ここで、Ｄ／Ｃビットは、ＳＤＡＰ制御ＰＤＵとＳＤＡＰデータＰＤＵとの区別を容易にする。
【００９１】
[0103]ＱｏＳマッピング回路９４１は、ＳＤＡＰ制御ＰＤＵに含まれるＱｏＳフロー識別子（ＱＦＩ）パラメータを識別するようにさらに構成され得る。次いで、ＱｏＳマッピング回路９４１は、ＳＤＡＰ制御ＰＤＵに含まれるＱＦＩパラメータによって識別されたＱｏＳフローにのみＳＤＡＰ制御ＰＤＵの制御情報を適用するようにさらに構成され得る。
【００９２】
[0104]他の例では、ＱｏＳマッピング回路９４１は、第１のＱｏＳフローに適用可能であり、第１のＤＲＢを介して受信された少なくとも１つのＳＤＡＰデータＰＤＵのＳＤＡＰヘッダ内のエンドマーカパラメータを検出したことに応答して、第２のＤＲＢを介して受信された少なくとも１つのＳＤＡＰデータＰＤＵを上位レイヤに転送するように構成され得る。ＱｏＳマッピング回路９４１は、本明細書で説明される機能のうちの１つまたは複数をインプリメントするために、コンピュータ読取可能な媒体９０６に記憶されたＱｏＳマッピングソフトウェア９４１を実行するようにさらに構成され得る。
【００９３】
[0105]プロセッサ９０４は、１つまたは複数のサブフレームまたはスロット内でダウンリンクデータ、制御情報、および他の信号を生成および送信するように構成されたＤＬ生成および送信回路９４２をさらに含み得る。例えば、ＤＬ生成および送信回路９４２は、トランシーバ９１０を介して、第１のＤＲＢから第２のＤＲＢへの第１のＱｏＳフローのマッピング再構成を示すＲＲＣメッセージを被スケジューリングエンティティに送信するように構成され得る。ＤＬ生成および送信回路９４２は、トランシーバ９１０を介して、最初に第１のＤＲＢを介して送信された後に、第２のＤＲＢを介して第１のＱｏＳフローに関連するパケットを送信するようにさらに構成され得る。ＤＬ生成および送信回路９４２は、本明細書で説明される機能のうちの１つまたは複数をインプリメントするために、コンピュータ読取可能な媒体９０６に記憶されたＤＬ生成および送信ソフトウェア９５２を実行するようにさらに構成され得る。
【００９４】
[0106]プロセッサ９０４は、１つまたは複数のサブフレームまたはスロット内で受信されたデータおよび制御情報を受信および処理するように構成されたＵＬ受信および処理回路９４３をさらに含み得る。例えば、ＵＬ受信および処理回路９４３は、第１のＤＲＢを介して被スケジューリングエンティティから受信された第１のＱｏＳフローのためのＳＤＡＰ制御ＰＤＵをＱｏＳマッピング回路９４１に提供するように構成され得る。ＵＬ受信および処理回路９４３は、第１のＤＲＢ上で被スケジューリングエンティティから受信された第１のＱｏＳフローのためのＳＤＡＰデータＰＤＵをＱｏＳマッピング回路９４１に提供するようにさらに構成され得る。いくつかの例では、ＳＤＡＰデータＰＤＵは、ＳＤＡＰデータＰＤＵが、第１のＤＲＢ上の第１のＱｏＳフローに関連する最終ＳＤＡＰデータＰＤＵであることを示すエンドマーカパラメータを含み得る。ＵＬ受信および処理回路９４３は、第２のＤＲＢ上で被スケジューリングエンティティから受信された第１のＱｏＳフローのＳＤＡＰデータＰＤＵをＱｏＳマッピング回路９４１に提供するようにさらに構成され得る。ＵＬ受信および処理回路９４３は、本明細書で説明される機能のうちの１つまたは複数をインプリメントするために、コンピュータ読取可能な媒体９０６に記憶されたＵＬ受信および処理ソフトウェア９５３を実行するようにさらに構成され得る。
【００９５】
[0107]図１０は、本開示のいくつかの態様による、ＱｏＳフロー再マッピングを容易にするための例示的なプロセス１０００を例示するフローチャートである。以下で説明されるように、いくつかまたはすべての例示された特徴は、本開示の範囲内で特定のインプリメンテーションでは省略され得、いくつかの例示された特徴は、すべての実施形態のインプリメンテーションに必要とは限らないであろう。いくつかの例では、プロセス１０００は、図８に例示される被スケジューリングエンティティ８００によって実行され得る。いくつかの例では、プロセス１０００は、以下で説明される機能またはアルゴリズムを実行するための任意の適切な装置または手段によって実行され得る。
【００９６】
[0108]ブロック１００２において、被スケジューリングエンティティは、第１のＤＲＢから第２のＤＲＢへの第１のＱｏＳフローのマッピング再構成を検出し得る。いくつかの例では、被スケジューリングエンティティは、被スケジューリングエンティティとワイヤレス通信しているスケジューリングエンティティからのＲＲＣメッセージを介してマッピング再構成を検出し得る。他の例では、被スケジューリングエンティティは、リフレクティブマッピングを介してマッピング再構成を検出し得、ここで、マッピング再構成は、第１のＱｏＳフローに関連するパケットが、最初に第１のＤＲＢを介して受信された後に第２のＤＲＢを介してスケジューリングエンティティから受信されるかどうかに基づいて検出される。例えば、ＱｏＳマッピング回路８４１は、図８を参照して上で示され説明されたＤＬ受信および処理回路８４２とともに、マッピング再構成を検出し得る。
【００９７】
[0109]ブロック１００４において、被スケジューリングエンティティは、第１のＱｏＳフローに関連する最終ＳＤＡＰデータＰＤＵが第１のＤＲＢ上で送信されたことを示すために、マッピング再構成に応答してＳＤＡＰ制御ＰＤＵを生成し得る。いくつかの例では、ＳＤＡＰ制御ＰＤＵは、ＳＤＡＰ制御ＰＤＵとＳＤＡＰデータＰＤＵとの区別を容易にする制御識別子を含み得る。例えば、制御識別子は、ＳＤＡＰ制御ＰＤＵおよびＳＤＡＰデータＰＤＵの各々においてデータ／制御（Ｄ／Ｃ）ビットを含み得、ここで、Ｄ／Ｃビットは、ＳＤＡＰ制御ＰＤＵとＳＤＡＰデータＰＤＵとの区別を容易にする。いくつかの例では、ＳＤＡＰ制御ＰＤＵは、第１のＱｏＳフローを識別するＱｏＳフロー識別子（ＱＦＩ）パラメータをさらに含み得る。例えば、図８を参照して上で示され説明されたＱｏＳマッピング回路８４１は、ＳＤＡＰ制御ＰＤＵを生成し得る。
【００９８】
[0110]ブロック１００６において、被スケジューリングエンティティは、第１のＤＲＢを介して受信機（例えば、スケジューリングエンティティ）にＳＤＡＰ制御ＰＤＵを送信し得る。例えば、ＵＬ生成および送信回路８４３は、図８を参照して上で示され説明されたトランシーバ８１０とともに、ＳＤＡＰ制御ＰＤＵを受信機に送信し得る。
【００９９】
[0111]図１１は、本開示のいくつかの態様による、ＱｏＳフロー再マッピングを容易にするための別の例示的なプロセス１１００を例示するフローチャートである。以下で説明されるように、いくつかまたはすべての例示された特徴は、本開示の範囲内で特定のインプリメンテーションでは省略され得、いくつかの例示された特徴は、すべての実施形態のインプリメンテーションに必要とは限らないであろう。いくつかの例では、プロセス１１００は、図８に例示される被スケジューリングエンティティ８００によって実行され得る。いくつかの例では、プロセス１１００は、以下で説明される機能またはアルゴリズムを実行するための任意の適切な装置または手段によって実行され得る。
【０１００】
[0112]ブロック１１０２において、被スケジューリングエンティティは、第１のＤＲＢから第２のＤＲＢへの第１のＱｏＳフローのマッピング再構成を検出し得る。いくつかの例では、被スケジューリングエンティティは、被スケジューリングエンティティとワイヤレス通信しているスケジューリングエンティティからのＲＲＣメッセージを介してマッピング再構成を検出し得る。他の例では、被スケジューリングエンティティは、リフレクティブマッピングを介してマッピング再構成を検出し得、ここで、マッピング再構成は、第１のＱｏＳフローに関連するパケットが、最初に第１のＤＲＢを介して受信された後に第２のＤＲＢを介してスケジューリングエンティティから受信されるかどうかに基づいて検出される。例えば、ＱｏＳマッピング回路８４１は、図８を参照して上で示され説明されたＤＬ受信および処理回路８４２とともに、マッピング再構成を検出し得る。
【０１０１】
[0113]ブロック１１０４において、被スケジューリングエンティティは、バッファが、第１のＱｏＳフローに関連する未送信のＳＤＡＰデータＰＤＵを含んでいるかどうかを識別し得る。いくつかの例では、バッファは、被スケジューリングエンティティ中のＳＤＡＰレイヤに関連付けられ得る。例えば、図８を参照して上で示され説明されたＱｏＳマッピング回路８４１は、未送信のＳＤＡＰデータＰＤＵが存在するかどうかを識別し得る。
【０１０２】
[0114]バッファが、第１のＱｏＳフローに関連する未送信のＳＤＡＰデータＰＤＵを含んでいる場合（ブロック１１０４のＹ分岐）、ブロック１１０６において、被スケジューリングエンティティは、未送信のＳＤＡＰデータＰＤＵのＳＤＡＰヘッダにエンドマーカパラメータを含め得る。エンドマーカパラメータは、未送信のＳＤＡＰデータＰＤＵが第１のＤＲＢ上の第１のＱｏＳフローに関連する最終ＳＤＡＰデータＰＤＵであることを示す。例えば、図８を参照して上で示され説明されたＱｏＳマッピング回路８４１は、未送信のＳＤＡＰデータＰＤＵにエンドマーカパラメータを含め得る。
【０１０３】
[0115]ブロック１１０８において、被スケジューリングエンティティは、エンドマーカパラメータを含む未送信のＳＤＡＰデータＰＤＵを受信機（例えば、スケジューリングエンティティ）に送信し得る。例えば、ＵＬ生成および送信回路８４３は、図８を参照して上で示され説明されたトランシーバ８１０とともに、受信機に未送信のＳＤＡＰデータＰＤＵを送信し得る。
【０１０４】
[0116]バッファが、第１のＱｏＳフローに関連する未送信のＳＤＡＰデータＰＤＵを含んでいない場合（ブロック１１０４のＮ分岐）、ブロック１１１０において、被スケジューリングエンティティは、第１のＱｏＳフローに関連する最終ＳＤＡＰデータＰＤＵが第１のＤＲＢ上で送信されたことを示すために、マッピング再構成に応答してＳＤＡＰ制御ＰＤＵを生成し得る。いくつかの例では、ＳＤＡＰ制御ＰＤＵは、ＳＤＡＰ制御ＰＤＵとＳＤＡＰデータＰＤＵとの区別を容易にする制御識別子を含み得る。例えば、制御識別子は、ＳＤＡＰ制御ＰＤＵおよびＳＤＡＰデータＰＤＵの各々においてデータ／制御（Ｄ／Ｃ）ビットを含み得、ここで、Ｄ／Ｃビットは、ＳＤＡＰ制御ＰＤＵとＳＤＡＰデータＰＤＵとの区別を容易にする。いくつかの例では、ＳＤＡＰ制御ＰＤＵは、第１のＱｏＳフローを識別するＱｏＳフロー識別子（ＱＦＩ）パラメータをさらに含み得る。例えば、図８を参照して上で示され説明されたＱｏＳマッピング回路８４１は、ＳＤＡＰ制御ＰＤＵを生成し得る。
【０１０５】
[0117]ブロック１１１２において、被スケジューリングエンティティは、第１のＤＲＢを介して受信機（例えば、スケジューリングエンティティ）にＳＤＡＰ制御ＰＤＵを送信し得る。例えば、ＵＬ生成および送信回路８４３は、図８を参照して上で示され説明されたトランシーバ８１０とともに、ＳＤＡＰ制御ＰＤＵを受信機に送信し得る。
【０１０６】
[0118]図１２は、本開示のいくつかの態様による、ＱｏＳフロー再マッピングを容易にするための別の例示的なプロセス１２００を例示するフローチャートである。以下で説明されるように、いくつかまたはすべての例示された特徴は、本開示の範囲内で特定のインプリメンテーションでは省略され得、いくつかの例示された特徴は、すべての実施形態のインプリメンテーションに必要とは限らないであろう。いくつかの例では、プロセス１２００は、図９に例示されるスケジューリングエンティティ９００によって実行され得る。いくつかの例では、プロセス１２００は、以下で説明される機能またはアルゴリズムを実行するための任意の適切な装置または手段によって実行され得る。
【０１０７】
[0119]ブロック１２０２において、スケジューリングエンティティは、第１のＤＲＢを介して第１のＱｏＳフローに関連する少なくとも１つのＳＤＡＰデータＰＤＵを受信し、第２のＤＲＢを介して第１のＱｏＳフローに関連する少なくとも１つのＳＤＡＰデータＰＤＵを受信し得る。例えば、ＱｏＳマッピング回路９４１は、図９を参照して上で示され説明されたＵＬ受信および処理回路９４３およびトランシーバ９１０とともに、第１のＤＲＢを介して第１のＱｏＳフローに関連する少なくとも１つのＳＤＡＰデータＰＤＵを受信し、第２のＤＲＢを介して第１のＱｏＳフローに関連する少なくとも１つのＳＤＡＰデータＰＤＵを受信し得る。
【０１０８】
[0120]ブロック１２０４において、スケジューリングエンティティは、第１のＤＲＢを介して第１のＱｏＳフローに適用可能なＳＤＡＰ制御ＰＤＵを受信し得る。ＳＤＡＰ制御ＰＤＵは、第１のＱｏＳフローに関連する最終ＳＤＡＰデータＰＤＵが第１のＤＲＢ上で送信されたことを示し得る。いくつかの例では、スケジューリングエンティティは、ＳＤＡＰ制御ＰＤＵとＳＤＡＰデータＰＤＵとの区別を容易にするＳＤＡＰ制御ＰＤＵ内の制御識別子に基づいてＳＤＡＰ制御ＰＤＵを識別し得る。例えば、スケジューリングエンティティは、ＳＤＡＰ制御ＰＤＵおよび少なくとも１つのＳＤＡＰデータＰＤＵの各々におけるデータ／制御（Ｄ／Ｃ）ビットの値を確認し得、ここで、Ｄ／Ｃビットは、ＳＤＡＰ制御ＰＤＵと少なくとも１つのＳＤＡＰデータＰＤＵとの区別を容易にする。いくつかの例では、スケジューリングエンティティは、第１のＱｏＳフローを識別するＳＤＡＰ制御ＰＤＵ中のＱｏＳフロー識別子（ＱＦＩ）パラメータを識別し得、ＳＤＡＰ制御ＰＤＵ中のＱＦＩパラメータによって識別されたＱｏＳフロー（例えば、第１のＱｏＳフロー）にのみＳＤＡＰ制御ＰＤＵの制御情報をさらに適用し得る。例えば、ＱｏＳマッピング回路９４１は、図９を参照して上で示され説明されたＵＬ受信および処理回路９４３およびトランシーバ９１０とともに、ＳＤＡＰ制御ＰＤＵを受信し得る。
【０１０９】
[0121]ブロック１２０６において、スケジューリングエンティティは、第１のＤＲＢを介して第１のＱｏＳフローに適用可能なＳＤＡＰ制御ＰＤＵを受信することに応答して、第２のＤＲＢを介して受信された少なくとも１つのＳＤＡＰデータＰＤＵを上位レイヤに転送し得る。例えば、図９を参照して上で示され説明されたＱｏＳマッピング回路９４１は、第２のＤＲＢを介して受信された少なくとも１つのＳＤＡＰデータＰＤＵを上位レイヤに転送し得る。
【０１１０】
[0122]図１３は、本開示のいくつかの態様による、ＱｏＳフロー再マッピングを容易にするための別の例示的なプロセス１３００を例示するフローチャートである。以下で説明されるように、いくつかまたはすべての例示された特徴は、本開示の範囲内で特定のインプリメンテーションでは省略され得、いくつかの例示された特徴は、すべての実施形態のインプリメンテーションに必要とは限らないであろう。いくつかの例では、プロセス１３００は、図８に例示される被スケジューリングエンティティ８００によって実行され得る。いくつかの例では、プロセス１３００は、以下で説明される機能またはアルゴリズムを実行するための任意の適切な装置または手段によって実行され得る。
【０１１１】
[0123]ブロック１３０２において、被スケジューリングエンティティは、第１のＤＲＢから第２のＤＲＢへの第１のＱｏＳフローのマッピング再構成を検出し得る。いくつかの例では、被スケジューリングエンティティは、被スケジューリングエンティティとワイヤレス通信しているスケジューリングエンティティからのＲＲＣメッセージを介してマッピング再構成を検出し得る。他の例では、被スケジューリングエンティティは、リフレクティブマッピングを介してマッピング再構成を検出し得、ここで、マッピング再構成は、第１のＱｏＳフローに関連するパケットが、最初に第１のＤＲＢを介して受信された後に第２のＤＲＢを介してスケジューリングエンティティから受信されるかどうかに基づいて検出される。例えば、ＱｏＳマッピング回路８４１は、図８を参照して上で示され説明されたＤＬ受信および処理回路８４２とともに、マッピング再構成を検出し得る。
【０１１２】
[0124]ブロック１３０４において、被スケジューリングエンティティは、マッピング構成の後に上位レイヤから受信された第１のＳＤＡＰデータＰＤＵのＳＤＡＰヘッダにエンドマーカパラメータを設定し得る。エンドマーカパラメータは、第１のＳＤＡＰデータＰＤＵが、第１のＤＲＢ上の第１のＱｏＳフローに関連する最終ＳＤＡＰデータＰＤＵであることを示す。例えば、図８を参照して上で示され説明されたＱｏＳマッピング回路８４１は、第１のＳＤＡＰデータＰＤＵ中にエンドマーカパラメータを含め得る。
【０１１３】
[0125]ブロック１３０６において、被スケジューリングエンティティは、エンドマーカパラメータを含む第１のＳＤＡＰデータＰＤＵと第１のＱｏＳフローに関連する少なくとも１つの後続のＳＤＡＰデータＰＤＵとを受信機（例えば、スケジューリングエンティティ）に送信し得る。第１のＳＤＡＰデータＰＤＵは、第１のＤＲＢを介して受信機に送信され、少なくとも１つの後続のＳＤＡＰデータＰＤＵは、第２のＤＲＢを介して受信機に送信される。例えば、ＵＬ生成および送信回路８４３は、図８を参照して上で示され説明されたトランシーバ８１０とともに、第１のＳＤＡＰデータＰＤＵおよび少なくとも１つの後続のＳＤＡＰデータＰＤＵを受信機に送信し得る。
【０１１４】
[0126]ワイヤレス通信ネットワークのいくつかの態様が、例示的なインプリメンテーションを参照して提示されている。当業者が容易に認識することとなるように、本開示全体にわたって説明された様々な態様は、他の電気通信システム、ネットワークアーキテクチャ、および通信規格に拡張され得る。
【０１１５】
[0127]例として、様々な態様は、ロングタームエボリューション（ＬＴＥ）、発展型パケットシステム（ＥＰＳ）、ユニバーサルモバイル電気通信システム（ＵＭＴＳ）、および／またはモバイルのためのグローバルシステム（ＧＳＭ（登録商標））のような、３ＧＰＰによって定義される他のシステム内でインプリメントされ得る。様々な態様はまた、ＣＤＭＡ２０００および／または進化型データ最適化（ＥＶ−ＤＯ）のような、第３世代パートナーシッププロジェクト２（３ＧＰＰ２）によって定義されるシステムに拡張され得る。他の例は、ＩＥＥＥ８０２．１１（Ｗｉ−Ｆｉ）、ＩＥＥＥ８０２．１６（ＷｉＭＡＸ）、ＩＥＥＥ８０２．２０、超広帯域（ＵＷＢ）、ブルートゥース（登録商標）、および／または他の適切なシステムを用いるシステム内でインプリメントされ得る。用いられる実際の電気通信規格、ネットワークアーキテクチャ、および／または通信規格は、特定の用途およびシステムに課された設計制約全体に依存するであろう。
【０１１６】
[0128]本開示内では、「例示的」という単語は、「実例、事例、または例示としての役割を果たすこと」を意味するために使用される。「例示的」として本明細書で説明された任意のインプリメンテーションまたは態様は、必ずしも、本開示の他の態様より好ましい、または有利であると解釈されるべきではない。同様に、「態様」という用語は、本開示のすべての態様が、説明された特徴、利点、または動作モードを含むことを必要としない。「結合される（coupled）」という用語は、本明細書では、２つのオブジェクト間の直接的または間接的な結合を指すために使用される。例えば、オブジェクトＡがオブジェクトＢに物理的に接触しており、オブジェクトＢがオブジェクトＣに接触している場合、オブジェクトＡとＣとは、それらが直接物理的には互いに接触していなくても、依然として、互いに結合しているとみなされ得る。例えば、第１のオブジェクトは、第１のオブジェクトが一度も第２のオブジェクトと物理的に直接接触していなくても、第２のオブジェクトに結合されているであろう。「回路（circuit）」および「回路（circuitry）」という用語は、広義に使用され、接続および構成されたときに、電子回路のタイプに制限なく、本開示で説明された機能の実行を可能にする電気デバイスおよび導体のハードウェアインプリメンテーションと、プロセッサによって実行されたときに、本開示で説明された機能の実行を可能にする情報および命令のソフトウェアインプリメンテーションとの両方を含むことが意図される。
【０１１７】
[0129]図１〜１３に例示された構成要素、ステップ、特徴、および／または機能のうちの１つまたは複数は、単一の構成要素、ステップ、特徴、または機能に並べ替えられるおよび／または組み合わせられるか、またはいくつかの構成要素、ステップ、または機能に具現化され得る。追加のエレメント、構成要素、ステップ、および／または機能も、本明細書で開示される新規の特徴から逸脱することなく追加され得る。図１、２、４、８、および／または９に例示される装置、デバイス、および／または構成要素は、本明細書で説明される方法、特徴、またはステップのうちの１つまたは複数を実行するように構成され得る。本明細書で説明される新規のアルゴリズムはまた、ソフトウェアで効率的にインプリメントされ、および／またはハードウェアに組み込まれ得る。
【０１１８】
[0130]開示された方法におけるステップの特定の順序または階層が例示的なプロセスの例示であることは理解されるべきである。設計の選好に基づいて、これらの方法におけるステップの特定の順序または階層が並べ替えられ得ることは理解されるべきである。添付の方法の請求項は、様々なステップのエレメントを例示的な順序で提示し、本明細書に明記されていない限り、提示された特定の順序または階層に限られることを意図しない。
【０１１９】
[0131]先の説明は、当業者が本明細書で説明された様々な態様を実施することを可能にするために提供される。これらの態様に対する様々な修正は、当業者には容易に明らかとなり、本明細書で定義された包括的な原理は、他の態様に適用され得る。ゆえに、特許請求の範囲は、本明細書に示された態様に限定されることが意図されたものではなく、特許請求の範囲における文言と一致する全範囲が付与されるべきものであり、ここにおいて、単数形のエレメントへの参照は、別途明記されていない限り、「１つおよび１つだけ（one and only one）」を意味することが意図されるものではなく、むしろ「１つまたは複数（one or more）」を意味する。別途明記されていない限り、「何らかの／いくつかの」という用語は、１つまたは複数を指す。項目のリストのうちの「少なくとも１つ」を指す表現は、単一のメンバを含む、それらの項目のうちの任意の組合せを指す。例として、「ａ、ｂ、またはｃのうちの少なくとも１つ」は、ａ、ｂ、ｃ、ａとｂ、ａとｃ、ｂとｃ、およびａとｂとｃをカバーすることが意図される。当業者に知られているかまたは後に知られることとなる、本開示全体にわたって説明された様々な態様のエレメントと構造的および機能的に同等なものはすべて、参照によって本明細書に明確に組み込まれ、特許請求の範囲によって包含されることが意図されている。さらに、本明細書におけるどの開示も、そのような開示が特許請求の範囲に明示的に記載されているかどうかに関わらず、公衆に献呈されることが意図されるものではない。
【図１】
2021521689.tif 000003
【図２】
2021521689.tif 000004
【図３】
2021521689.tif 000005
【図４】
2021521689.tif 000006
【図５】
2021521689.tif 000007
【図６】
2021521689.tif 000008
【図７】
2021521689.tif 000009
【図８】
2021521689.tif 000010
【図９】
2021521689.tif 000011
【図１０】
2021521689.tif 000012
【図１１】
2021521689.tif 000013
【図１２】
2021521689.tif 000014
【図１３】
2021521689.tif 000015
【国際調査報告】
2021521689.tif 000016
2021521689.tif 000017
2021521689.tif 000018